(57)【要約】光子には質量があるか。電子の質量エネルギーと陽子の質量エネルギーは軌道により変化するか。【課題】【解決手段】軌道エネルギーがあるから軌道質量もあるはずです。軌道質量は軌道に於けるエネルギーはＥ＝ｍｃ２です。軌道質量を考える事によって、電子の質量エネルギーは軌道が小さくなると大きくなる。中性子になると電子のラブの軌道は陽子のラブの軌道と同じになり、１８３６分の１になる。エネルギーは１８３６倍になる。電子のラブの質量エネルギーは１８３６倍になり、陽子のラブの質量エネルギーと同じになる。実際は、このようになっていない。よって、軌道質量は成立しない。原子の軌道に於いて、Ｅ＝ｍｃ２の式は成立しない。軌道に於いて、Ｅ＝ｍｃ２の式は成立しない。よって、光子には質量はない。電子の質量エネルギーと陽子の質量エネルギーは軌道により変化しない。【選択図】図１
2007244191.tif 000002
【特許請求の範囲】
【請求項１】
本発明者は電子のラブの軌道を、１．２５×１０−１２ｍとして考えてきた。しかし、ボーア半径は５．２９１８×１０−１１ｍです。電子のラブの公転軌道と自転軌道はいくらか。陽子のラブの公転軌道と自転軌道はいくらか。（陽子は核子の陽子とする。）
電子のラブの公転軌道を、ボーア半径×２＝５．２９１８×１０−１１ｍ×２＝１．０５８×１０−１０ｍとします。
電子のラブの公転軌道＝１．０５８３６×１０−１０ｍ
電子のラブの自転軌道＝３．１４×公転軌道÷１公転するときの自転数＝３．１４×１．０５８３６×１０−１０ｍ÷（７．９６×１０７自転）＝４．１７５×１０−１８ｍ
電子のラブのエネルギー＝電子のラブの質量×８．９８７５５×１０１６Ｊ＝９．１０９３８×１０−３１Ｋｇ×８．９８７５５×１０１６Ｊ＝８．１８７×１０−１４Ｊ
電子のラブの軌道エネルギー＝電子のラブの軌道×電子のラブのエネルギー＝１．０５８×１０−１０ｍ×８．１８７×１０−１４Ｊ＝８．６６５×１０−２４Ｊｍ
ラブの軌道エネルギー＝８．６６５×１０−２４Ｊｍ
電子のラブが１公転で作る電気の光子のエネルギー＝ボーア磁子÷１束の公転数＝９．２７４×１０−２４Ｊ÷（７．９６×１０７公転）＝１．１６５×１０−３１Ｊ
電子のラブが１自転して作る磁気の光子のエネルギー＝ボーア磁子÷（１束の公転数×１公転するときの自転数）＝９．２７４×１０−２４Ｊ÷（７．９６×１０７公転×７．９６×１０７自転）＝１．４６４×１０−３９Ｊ
電子のラブが１秒間に作る電気の光子のエネルギーと磁気の光子のエネルギー＝ボーア磁子×１秒間にできる束＝９．２７４×１０−２４Ｊ×７．９６×１０７束＝７．３８２×１０−１６Ｊ
電子のラブの秒速＝３．１４×公転軌道×１秒間の公転数＝３．１４×ボーア半径×２×（７．９６×１０７×７．９６×１０７）＝３．１４×１．０５８３６×１０−１０×７．９６×１０７×７．９６×１０７＝２．１０５×１０６ｍです。
電子のラブの１秒間の公転数＝７．９６×１０７束×７．９６×１０７公転＝６．３３６×１０１５公転
電子のラブの１秒間の自転数＝７．９６×１０７束×７．９６×１０７公転×７．９６×１０７自転＝５．０４４×１０２３自転
陽子のラブの公転軌道＝ラブの軌道エネルギー÷陽子のラブのエネルギー＝８．６６５×１０−２４Ｊｍ÷（１．５×１０−１０Ｊ）＝５．７７７×１０−１４ｍ
陽子のラブの自転軌道＝３．１４×公転軌道÷１公転するときの自転数＝３．１４×５．７７７×１０−１４ｍ÷（４．３４×１０４自転）＝４．１８０×１０−１８ｍ
陽子のラブが１公転で作る電気の光子のエネルギー＝核磁子÷１束の公転数＝５．０５×１０−２７Ｊ÷（４．３４×１０４公転）＝１．１６４×１０−３１Ｊ
陽子のラブが１自転して作る磁気の光子のエネルギー＝核磁子÷（１束の公転数×１公転するときの自転数）＝５．０５×１０−２７Ｊ÷（４．３４×１０４公転×４．３４×１０４自転）＝２．６８１×１０−３６Ｊ
陽子のラブが１秒間に作る電気の光子のエネルギーと磁気の光子のエネルギー＝核磁子×１秒間にできる束＝５．０５×１０−２７Ｊ×７．９６×１０７束＝４．０２×１０−１９Ｊ
陽子のラブの秒速＝３．１４×公転軌道×１秒間の公転数＝３．１４×｛ラブの軌道エネルギー÷（陽子の質量エネルギー）｝×（７．９６×１０７×４．３４×１０４）＝３．１４×（８．６６５×１０−２４Ｊｍ）÷（１．５×１０−１０Ｊ）×７．９６×１０７×４．３４×１０４＝０．６２７ｍです。
陽子のラブの１秒間の公転数＝７．９６×１０７束×４．３４×１０４公転＝３．４５５×１０１２公転
陽子のラブの１秒間の自転数＝７．９６×１０７束×４．３４×１０４公転×４．３４×１０４自転＝１．５×１０１７自転
本発明者の従来の考えと、ボーア磁子とボーア半径により計算した場合を表にする。
陽子の場合は核子の陽子で、核磁子より計算した場合を表にする。
2007244191.tif 000012
2007244191.tif 000013
【請求項２】
ラブの軌道エネルギーはいくらか。電子のラブが作る電気の光子の軌道エネルギーはいくらか。電子のラブが作る磁気の光子の軌道エネルギーはいくらか。陽子のラブが作る電気の光子の軌道エネルギーはいくらか。陽子のラブが作る磁気の光子の軌道エネルギーはいくらか。
本発明者は、従来、軌道エネルギーを次のように理解している。
ラブの軌道エネルギーは、１．２５×１０−１０ｍ×８×１０−１４Ｊ＝１０−２３Ｊｍであり、電子のラブが作る電気の光子の軌道エネルギーは、１．２５×１０−１０ｍ×８×１０−３０Ｊ＝１０−３９Ｊｍであり、電子のラブが作る磁気の光子の軌道エネルギーは、１．２５×１０−１８ｍ×８×１０−３８Ｊ＝１０−５５Ｊｍであり、陽子のラブが作る電気の光子の軌道エネルギーは、６．６７×１０−１４ｍ×８×１０−３０Ｊ＝５．３３６×１０−４３Ｊｍであり、陽子のラブが作る磁気の光子の軌道エネルギーは、６．６７×１０−２２ｍ×８×１０−３８Ｊ＝５．３３６×１０−５９Ｊｍです。
今回は、ボーア磁子とボーア半径と核磁子より計算した軌道とエネルギーに基づき軌道エネルギーを求める。（陽子は核子の陽子です。）
ラブの軌道エネルギーは、
電子のラブの軌道エネルギー＝１．０５８３６×１０−１０ｍ×８．１８７×１０−１４Ｊ＝８．６６５×１０−２４Ｊｍ
陽子のラブの軌道エネルギー＝５．７７７×１０−１４ｍ×１．５×１０−１０Ｊ＝８．６６６×１０−２４Ｊｍです。
電子のラブが１公転で作る電気の光子の軌道エネルギーは、
電気の光子の軌道エネルギー＝１．０５８３６×１０−１０ｍ×１．１６５×１０−３１Ｊ＝１．２３３×１０−４１Ｊｍです。
電子のラブが１自転で作る磁気の光子の軌道エネルギーは、
磁気の光子の軌道エネルギー＝４．１７５×１０−１８ｍ×１．４６４×１０−３９Ｊ＝６．１１２×１０−５７Ｊｍです。
電子のラブが１自転で作る磁気の光子のエネルギー＝６．１１２×１０−５７Ｊｍ÷自転軌道
電子のラブの自転軌道＝３．１４×公転軌道÷（７．９６×１０７自転）＝３．９４５×１０−８×公転軌道、ですから、
電子のラブが１自転で作る磁気の光子のエネルギー＝６．１１２×１０−５７Ｊｍ÷自転軌道＝６．１１２×１０−５７Ｊｍ÷（３．９４５×１０−８×公転軌道）＝１．５４９×１０−４９Ｊｍ÷公転軌道
陽子のラブが１公転で作る電気の光子の軌道エネルギーは、
電気の光子の軌道エネルギー＝５．７７７×１０−１４ｍ×１．１６４×１０−３１Ｊ＝６．７２４×１０−４５Ｊｍです。
陽子のラブが１自転で作る磁気の光子の軌道エネルギーは、
磁気の光子の軌道エネルギー＝４．１８×１０−１８ｍ×２．６８１×１０−３６Ｊ＝１．１２１×１０−５３Ｊｍです。
陽子のラブが１自転で作る磁気の光子のエネルギー＝１．１２１×１０−５３Ｊｍ÷自転軌道
陽子のラブの自転軌道＝３．１４×公転軌道÷（４．３４×１０４自転）＝７．２３５×１０−５×公転軌道、ですから、
陽子のラブが１自転で作る磁気の光子のエネルギー＝１．１２１×１０−５３Ｊｍ÷自転軌道＝１．１２１×１０−５３Ｊｍ÷（７．２３５×１０−５×公転軌道）＝１．５４９×１０−４９Ｊｍ÷公転軌道です。
電子のラブが１秒間に作る電気の光子のエネルギーは、
電子のラブが１公転で作る電気の光子のエネルギー×１秒間の公転数ー＝１．２３３×１０−４１Ｊｍ÷軌道×（７．９６×１０７）２公転＝７．８１２×１０−２６Ｊｍ÷軌道、です。
電子のラブが１秒間に作る磁気の光子のエネルギーは、
電子のラブが１自転で作る磁気の光子のエネルギー×１秒間の自転数ー＝６．１１２×１０−５７Ｊｍ÷自転軌道×（７．９６×１０７）３自転＝３．０８３×１０−３３Ｊｍ÷自転軌道
３．０８３×１０−３３Ｊｍ÷自転軌道＝３．０８３×１０−３３Ｊｍ÷（３．９４５×１０−８×公転軌道）＝７．８１５×１０−２６Ｊｍ÷公転軌道
陽子のラブが１秒間に作る電気の光子のエネルギーは、
陽子のラブが１公転で作る電気の光子のエネルギー×１秒間の公転数ー＝６．７２４×１０−４５Ｊｍ÷軌道×７．９６×１０７×４．３４×１０４公転＝２．３２３×１０−３２Ｊｍ÷軌道、です。
陽子のラブが１秒間に作る磁気の光子のエネルギーは、
陽子のラブが１自転で作る磁気の光子のエネルギー×１秒間の自転数ー＝１．１２１×１０−５３Ｊｍ÷自転軌道×７．９６×１０７×（４．３４×１０４）２自転＝１．６８１×１０−３６Ｊｍ÷自転軌道
１．６８１×１０−３６Ｊｍ÷自転軌道＝１．６８１×１０−３６Ｊｍ÷（７．２３５×１０−５×公転軌道）＝２．３２３×１０−３２Ｊｍ÷公転軌道
但し、これは１個の光子の軌道エネルギーです。１個のラブの軌道エネルギーです。
これを表にする。
2007244191.tif 000014
2007244191.tif 000015
電子のラブと陽子のラブの性質を表にする。
2007244191.tif 000016
2007244191.tif 000017
【請求項３】
軌道エネルギーとは何を現すか。
ラブの軌道エネルギーは、電子のラブ１個のエネルギー×公転軌道です。
電子の光子の軌道エネルギーとは、電気の光子１個のエネルギー×公転軌道です。
磁気の光子の軌道エネルギーとは、磁気の光子１個のエネルギー×公転軌道です。
それで、軌道エネルギーとは、軌道に於ける光子のエネルギーを現す。
ラブは光子の塊であるから、ラブの軌道エネルギーは、たくさん集まった光子の塊のエネルギー×軌道である。
それでは、電子のラブは何個の電気の光子が集まったものであるか。
公転軌道は同じですから、電子のラブは何個の電気の光子の塊か。
ラブの軌道エネルギー÷電子のラブが１公転で作る電気の光子の１個の軌道エネルギー＝８．６６５×１０−２４Ｊｍ÷（１．２３３×１０−４１Ｊｍ）＝７．０２８×１０１７（個）です。
電子のラブは、７．０２８×１０１７（個）の電気の光子の塊です。
陽子のラブは何個の電気の光子が集まったものであるか。
公転軌道は同じですから、陽子のラブは何個の電気の光子の塊か。
ラブの軌道エネルギー÷陽子のラブが１公転で作る電気の光子１個の軌道エネルギー＝８．６６５×１０−２４Ｊｍ÷軌道÷（６．７２４×１０−４５Ｊｍ÷軌道）＝１．２８７×１０２１（個）です。
陽子のラブは、１．２８７×１０２１（個）の電気の光子の塊です。
【請求項４】
軌道質量について。
軌道質量とは、軌道エネルギーと同じことで、エネルギーを質量にしたものです。
１Ｋｇ＝８．９８７５５×１０１６Ｊで、１Ｊ＝１．１１２６５×１０−１７Ｋｇですから、
軌道質量＝軌道エネルギー×１．１１２６５×１０−１７Ｋｇ  です。
▲１▼ラブの軌道質量はいくらか。
ラブの軌道質量は、ラブの質量×ラブの公転軌道です。
電子のラブの質量は、９．１０９５×１０−３１Ｋｇです。
電子のラブの公転軌道はボーア直径です。
電子のラブの軌道質量は、電子のラブの公転軌道×電子のラブの質量＝１．０５８３６×１０−１０ｍ×９．１０９５×１０−３１Ｋｇ＝９．６４１×１０−４１ｍＫｇ  です。
陽子のラブの質量は、１．６７２６５×１０−２７Ｋｇです。
陽子の公転軌道はボーア直径÷１８３６です。陽子の公転軌道＝１．０５８３６×１０−１０ｍ÷１８３６＝５．７６４×１０−１４ｍ
陽子のラブの軌道質量は、陽子のラブの公転軌道×陽子のラブの質量＝５．７６４×１０−１４ｍ×１．６７２６５×１０−２７Ｋｇ＝９．６４１×１０−４１ｍＫｇ  です。
ラブの軌道質量は、
ラブの軌道エネルギー×１．１１２６５×１０−１７Ｋｇ＝８．６６５×１０−２４Ｊｍ×１．１１２６５×１０−１７Ｋｇ＝９．６４１×１０−４１ｍＫｇです。
▲２▼電気の光子の軌道質量はいくらか。
電子のラブが作る電気の光子１個の質量は、１束の磁気の光子のエネルギー÷１束の公転数×１．１１２６５×１０−１７Ｋｇ＝ボーア磁子÷（７．９６×１０７公転）×１．１１２６５×１０−１７Ｋｇ＝９．２７４×１０−２４Ｊ÷（７．９６×１０７公転）×１．１１２６５×１０−１７Ｋｇ＝１．２９６×１０−４８Ｋｇです。軌道はボーア直径です。
電子のラブが作る電気の光子の軌道質量は、１．０５８３６×１０−１０ｍ×１．２９６×１０−４８Ｋｇ＝１．３７２×１０−５８ｍＫｇです。
電子のラブが作る電気の光子の軌道エネルギー×１．１１２６５×１０−１７Ｋｇ＝１．２３３×１０−４１Ｊｍ×１．１１２６５×１０−１７Ｋｇ＝１．３７２×１０−５８ｍＫｇ
・電子のラブが作る電気の光子の軌道質量は、１．３７２×１０−５８ｍＫｇです。
・陽子のラブが作る電気の光子の軌道質量は、
陽子のラブが作る電気の光子の軌道エネルギー×１．１１２６５×１０−１７Ｋｇ＝６．７３×１０−４５Ｊｍ×１．１１２６５×１０−１７Ｋｇ＝７．４８８×１０−６２ｍＫｇです。
▲３▼磁気の光子の軌道質量はいくらか。
電子のラブが作る磁気の光子１個の質量は、ボーア磁子÷（７．９６×１０７個）２×１．１１２６５×１０−１７Ｋｇ＝９．２７４×１０−２４Ｊ÷（７．９６×１０７個）２×１．１１２６５×１０−１７Ｋｇ＝１．６２９×１０−５６Ｋｇです。
電子のラブが作る磁気の光子の軌道質量は、４．１７５×１０−１８ｍ×１．６２９×１０−５６Ｋｇ＝６．８０１×１０−７４ｍＫｇです。
電子のラブが作る磁気の光子の軌道エネルギー×１．１１２６５×１０−１７Ｋｇ＝６．１１２×１０−５７Ｊｍ×１．１１２６５×１０−１７Ｋｇ＝６．８０１×１０−７４ｍＫｇ
・電子のラブが作る磁気の光子の軌道質量は、６．８０１×１０−７４ｍＫｇです。
・陽子のラブが作る磁気の光子の軌道質量は、
陽子のラブが作る磁気の光子の軌道エネルギー×１．１１２６５×１０−１７Ｋｇ＝１．１２１×１０−５３Ｊｍ×１．１１２６５×１０−１７Ｋｇ＝１．２４７×１０−７０ｍＫｇです。
これを表にする。
2007244191.tif 000018
【請求項５】
軌道質量は何を現すか。
軌道質量とは、軌道に於ける光子の質量を現す。
Ｅ＝ｍｃ２です。ｍ＝Ｅ÷ｃ２です。
軌道質量は、ｍ＝Ｅ÷ｃ２によって得られる質量×軌道  です。
軌道質量＝軌道エネルギー÷ｃ２＝軌道エネルギー÷（３×１０８）２＝軌道エネルギー÷（９×１０１６）＝軌道エネルギー×１．１１×１０−１７です。
【請求項６】
軌道質量によって何が理解できるか。光子には質量はあるか。光子には質量がないことの証明。公転軌道によって質量は変わるか。公転軌道によって質量は変わらない事の証明。電子のラブの質量エネルギーと陽子のラブの質量エネルギーは一定である事の証明。
ラブの軌道質量は、９．６４１×１０−４１ｍＫｇです。
電子のラブが作る電気の光子の軌道質量は、１．３７２×１０−５８ｍＫｇです。
陽子のラブが作る電気の光子の軌道質量は、７．４８８×１０−６２ｍＫｇです。
電子のラブが作る磁気の光子の軌道質量は、６．８０１×１０−７４ｍＫｇです。
陽子のラブが作る磁気の光子の軌道質量は、１．２４７×１０−７０ｍＫｇです。
この式から、電子のラブも陽子のラブも軌道が小さくなると質量は大きくなることが理解できる。
・例えば、電子のラブの軌道が１０−１０ｍの場合。
電子のラブの質量は、９．６４１×１０−４１ｍＫｇ÷１０−１０ｍ＝９．６４１×１０−３１Ｋｇです。
陽子のラブの公転軌道は、１０−１０ｍ÷１８３６＝５．４４６×１０−１４ｍですから、
陽子のラブの質量は、９．６４１×１０−４１ｍＫｇ÷（５．４４６×１０−１４ｍ）＝１．７７０×１０−２７Ｋｇです。
電子のラブが作る電気の光子１個の質量は、１．３７２×１０−５８ｍＫｇ÷１０−１０ｍ＝１．３７２×１０−４８Ｋｇです。
電子のラブの自転軌道は、公転軌道×３．１４÷（７．９６×１０７自転）＝１０−１０ｍ×３．１４÷（７．９６×１０７自転）＝３．９４５×１０−１８ｍです。
磁気の光子の軌道も３．９４５×１０−１８ｍです。
電子のラブが作る磁気の光子１個の質量は、６．８０１×１０−７４ｍＫｇ÷（３．９４５×１０−１８ｍ）＝１．７２４×１０−５６Ｋｇです。
陽子のラブの自転軌道は、陽子のラブの公転軌道×３．１４÷（４．３４×１０４自転）＝５．４４６×１０−１４ｍ×３．１４÷（４．３４×１０４自転）＝３．９４０×１０−１８ｍです。
陽子のラブが作る磁気の光子１個の質量は、１．２４７×１０−７０ｍＫｇ÷自転軌道＝１．２４７×１０−７０ｍＫｇ÷（３．９４０×１０−１８ｍ）＝３．１６５×１０−５３Ｋｇです。
・例えば、電子のラブの軌道が１０−１２ｍの場合。
電子のラブの質量は、９．６４１×１０−４１ｍＫｇ÷１０−１２ｍ＝９．６４１×１０−２９Ｋｇです。
陽子のラブの公転軌道は、１０−１２ｍ÷１８３６＝５．４４６×１０−１６ｍですから、
陽子のラブの質量は、９．６４１×１０−４１ｍＫｇ÷（５．４４６×１０−１６ｍ）＝１．７７０×１０−２５Ｋｇです。
電子のラブが作る電気の光子１個の質量は、１．３７２×１０−５８ｍＫｇ÷１０−１２ｍ＝１．３７２×１０−４６Ｋｇです。
陽子のラブが作る電気の光子１個の質量は、７．４８８×１０−６２ｍＫｇ÷（５．４４６×１０−１６ｍ）＝１．３７５×１０−４６Ｋｇです。
電子のラブの自転軌道は、公転軌道×３．１４÷（７．９６×１０７自転）＝１０−１２ｍ×３．１４÷（７．９６×１０７自転）＝３．９４５×１０−２０ｍです。
磁気の光子の軌道も３．９４５×１０−２０ｍです。
電子のラブが作る磁気の光子１個の質量は、６．８０１×１０−７４ｍＫｇ÷（３．９４５×１０−２０ｍ）＝１．７２４×１０−５４Ｋｇです。
陽子のラブの自転軌道は、陽子のラブの公転軌道×３．１４÷（４．３４×１０４自転）＝５．４４６×１０１６ｍ×３．１４÷（４．３４×１０４自転）＝３．９４０×１０−２０ｍです。
陽子のラブが作る磁気の光子１個の質量は、１．２４７×１０−７０ｍＫｇ÷（３．９４５×１０−２０ｍ）＝３．１６１×１０−５１Ｋｇです。
このように、軌道がＡ倍小さくなると質量はＡ倍大きくなる。
電子のラブも陽子のラブも電気の光子も磁気の光子も、軌道がＡ倍小さくなると質量はＡ倍大きくなる。
この事によって、もし電子のラブが、陽子のラブの軌道になった場合、電子のラブの質量は陽子のラブの質量になる。
・もし、電子のラブの公転軌道が、５．７６４×１０−１４ｍになると、電子のラブの質量は、
９．６４１×１０−４１ｍＫｇ÷（５．７６４×１０−１４ｍ）＝１．６７３×１０−２７Ｋｇになる。
電子のラブの質量は陽子のラブの質量になる。
中性子の質量は陽子の質量の２倍になる。
しかし、実際このようにはなっていない。
よって、軌道質量は成立しない。
軌道質量は成立しないから、光子のエネルギーはＥ＝ｍｃ２には成らない。光子のエネルギーは質量には成らない。よって、光子には質量は無い。この事によって、光子には質量が無い事が証明される。
この軌道質量の考えによって、光子には質量が無い事が証明された。
公転軌道によって質量は変わらない。
Ｅ＝ｍｃ２の公式は、公転軌道においては成立しない。
この軌道質量の考えによって、質量は変わらない事が証明された。
どのような高エネルギーの場でも、電子のラブの質量は一定である。
どのような高エネルギーの場でも、陽子のラブの質量は一定である。
どのような高エネルギーの場でも、中性子のラブの質量は一定である。
しかし、エネルギーは変わる。
電子のラブのエネルギーは変わる。
陽子のラブのエネルギーは変わる。
中性子のラブのエネルギーは変わる。
光子には質量は無いがエネルギーはある。
そのエネルギーは軌道によって変わる。
これらの事が軌道質量の考えによって証明された。
◇電子のラブは一定の光子を作る。陽子のラブは一定の光子を作る。
この現象を次のように考える。
変換率については２００６年９月３０日に提出した特願２００６−２９３２８１に記した。
【請求項７】
▲１▼電子のラブの公転の仕事が電気の光子のエネルギーを作ると考える場合。
陽子のラブの公転の仕事が電気の光子のエネルギーを作ると考える場合。変換率はいくらか。
電子のラブの公転の仕事×変換率＝電気の光子のエネルギー
電子のラブの１公転の仕事×変換率＝電気の光子１個のエネルギー
電子のラブの１公転の仕事＝電子のラブの質量エネルギー×１公転する距離＝電子のラブの質量エネルギー×３．１４×公転軌道
変換率をＫとする。
電子のラブの１公転の仕事×変換率＝電子のラブの質量エネルギー×走った距離×変換率＝電気の光子１個のエネルギー
８．１８７×１０−１４Ｊ×３．１４×１．０５８３６×１０−１０ｍ×Ｋ１＝１．１６５×１０−３１Ｊ
Ｋ１＝４．２８２×１０−９／ｍ
陽子のラブの１公転の仕事×変換率＝陽子のラブの質量エネルギー×走った距離×変換率＝電気の光子１個のエネルギー
１．５×１０−１０Ｊ×３．１４×５．７７７×１０−１４ｍ×Ｋ２＝１．１６５×１０−３１Ｊ
Ｋ２＝４．２８２×１０−９／ｍ
変換率は４．３×１０−９／ｍです。
ラブは１ｍ走ると、ラブのエネルギーの４．３×１０−９倍のエネルギーを電気の光子に変換する。
▲２▼電子のラブの自転の仕事が磁気の光子のエネルギーを作ると考える場合。陽子のラブの自転の仕事が磁気の光子のエネルギーを作ると考える場合。変換率はいくらか。
電子のラブの自転の仕事×変換率＝磁気の光子のエネルギー
電子のラブの１自転の仕事×変換率＝磁気の光子１個のエネルギー
電子のラブの１自転の仕事＝電子のラブの質量エネルギー×１自転する距離＝電子のラブの質量エネルギー×自転軌道（自転の場合は３．１４を乗じない。）
電子のラブの１自転の仕事×変換率＝磁気の光子１個のエネルギー
８．１８７×１０−１４Ｊ×４．１８×１０−１８ｍ×Ｋ３＝１．４６４×１０−３９Ｊ
Ｋ３＝４．２７８×１０−９／ｍ
陽子のラブの１自転の仕事×変換率＝磁気の光子１個のエネルギー
１．５×１０−１０Ｊ×４．１８×１０−１８ｍ×Ｋ４＝２．６８１×１０−３６Ｊ
Ｋ４＝４．２７６×１０−９／ｍ
変換率は４．２８×１０−９／ｍです。
ラブは１ｍ走ると、ラブのエネルギーの４．２８×１０−９倍のエネルギーを磁気の光子に変換する。
【請求項８】
▲１▼電子のラブの公転の仕事が電気の光子の仕事を作ると考える場合。陽子のラブの公転の仕事が電気の光子の仕事を作ると考える場合。変換率はいくらか。
電子のラブの公転の仕事×仕事の変換率＝電気の光子の仕事
電子のラブの１公転の仕事×仕事の変換率＝電気の光子１個の仕事
電子のラブの１公転の仕事＝電子のラブの質量エネルギー×３．１４×電子のラブの公転軌道
電気の光子１個の仕事＝電気の光子１個のエネルギー×３．１４×電気の光子の軌道
仕事の変換率をＬとする。
電子のラブの１公転の仕事×仕事の変換率＝電気の光子１個の仕事
８．１８７×１０−１４Ｊ×３．１４×１．０５８３６×１０−１０ｍ×Ｌ１＝１．１６５×１０−３１Ｊ×３．１４×１．０５８３６×１０−１０ｍ
Ｌ１＝１．４２３×１０−１８
電子のラブは公転の仕事の１．４２３×１０−１８倍を、電気の光子の仕事に変換する。
陽子のラブの１公転の仕事×仕事の変換率＝電気の光子１個の仕事
１．５×１０−１０Ｊ×３．１４×５．７７７×１０−１４ｍ×Ｌ２＝１．１６５×１０−３１Ｊ×３．１４×５．７７７×１０−１４ｍ
Ｌ２＝７．７６７×１０−２２
陽子のラブは公転の仕事の７．７６×１０−２２倍を、電気の光子の仕事に変換する。
▲２▼電子のラブの自転の仕事が磁気の光子の仕事を作ると考える場合。陽子のラブの自転の仕事が磁気の光子の仕事を作ると考える場合。変換率はいくらか。
電子のラブの自転の仕事×仕事の変換率＝磁気の光子の仕事
電子のラブの１自転の仕事×仕事の変換率＝磁気の光子１個の仕事
電子のラブの１自転の仕事＝電子のラブの質量エネルギー×電子のラブの自転軌道（自転の場合は３．１４を乗じない。）
磁気の光子１個の自転の仕事＝磁気の光子１個のエネルギー×磁気の光子の自転軌道
電子のラブの１自転の仕事×仕事の変換率＝磁気の光子１個の自転の仕事
８．１８７×１０−１４Ｊ×４．１８×１０−１８ｍ×Ｌ３＝１．４６４×１０−３９Ｊ×４．１８×１０−１８ｍ
Ｌ３＝１．７８８×１０−２６
電子のラブは自転の仕事の１．７８８×１０−２６倍を、磁気の光子の仕事に変換する。
陽子のラブの１自転の仕事×仕事の変換率＝磁気の光子１個の仕事
１．５×１０−１０Ｊ×４．１８×１０−１８ｍ×Ｌ４＝２．６８１×１０−３６Ｊ×４．１８×１０−１８ｍ
Ｌ４＝１．７８７×１０−２６
陽子のラブは自転の仕事の１．７８７×１０−２６倍を、磁気の光子の仕事に変換する。
【請求項９】
▲１▼電子のラブのエネルギーが電気の光子のエネルギーを作ると考える場合。
陽子のラブのエネルギーが電気の光子のエネルギーを作ると考える場合。変換率はいくらか。
ラブの公転軌道＝電気の光子の公転軌道です。
それで、ラブのエネルギーが電気の光子のエネルギーに変換すると考える。
エネルギーの変換率をＭとします。
電子のラブのエネルギー×Ｍ１＝電気の光子のエネルギー
８．１８７×１０−１４Ｊ×Ｍ１＝１．１６５×１０−３１Ｊ
Ｍ１＝１．４２３×１０−１８
電子のラブのエネルギーの１．４２３×１０−１８倍が電気の光子のエネルギーに変換する。
陽子のラブのエネルギー×Ｍ２＝電気の光子のエネルギー
１．５×１０−１０Ｊ×Ｍ２＝１．１６５×１０−３１Ｊ
Ｍ２＝７．７６７×１０−２２
陽子のラブのエネルギーの７．７６７×１０−２２倍が電気の光子のエネルギーに変換する。
▲２▼電子のラブのエネルギーが磁気の光子のエネルギーを作ると考える場合。陽子のラブのエネルギーが磁気の光子のエネルギーを作ると考える場合。変換率はいくらか。
ラブの自転軌道＝磁気の光子の自転軌道です。
それで、ラブのエネルギーが磁気の光子のエネルギーに変換すると考える。
電子のラブのエネルギー×Ｍ３＝磁気の光子のエネルギー
８．１８７×１０−１４Ｊ×Ｍ３＝１．４６４×１０−３９Ｊ
Ｍ３＝１．７８８×１０−２６
電子のラブのエネルギーの１．７８８×１０−２６倍が磁気の光子のエネルギーに変換する。
陽子のラブのエネルギー×Ｍ４＝磁気の光子のエネルギー
１．５×１０−１０Ｊ×Ｍ４＝２．６８１×１０−３６Ｊ
Ｍ４＝１．７８７×１０−２６
陽子のラブのエネルギーの１．７８７×１０−２６倍が磁気の光子のエネルギーに変換する。
【請求項１０】
▲１▼電子のラブの軌道エネルギーが電気の光子１個の軌道エネルギーを作ると考える場合。陽子のラブの軌道エネルギーが電気の光子１個の軌道エネルギーを作ると考える場合。変換率はいくらか。
軌道エネルギーの変換率をＮとする。
電子のラブの軌道エネルギー×軌道の変換率＝電気の光子１個の軌道エネルギー
８．６６５×１０−２４Ｊｍ×Ｎ１＝１．２３３×１０−４１Ｊｍ
Ｎ１＝１．４２３×１０−１８
電子のラブの軌道エネルギーの１．４２３×１０−１８倍が電気の光子の軌道エネルギーに変換する。
陽子のラブの軌道エネルギー×軌道の変換率＝電気の光子１個の軌道エネルギー
８．６６５×１０−２４Ｊｍ×Ｎ２＝６．７３０×１０−４５Ｊｍ
Ｎ２＝７．７６７×１０−２２
陽子のラブの軌道エネルギーの７．７６×１０−２２倍が電気の光子の軌道エネルギーに変換する。
▲２▼電子のラブの自転軌道エネルギーが磁気の光子１個の軌道エネルギーを作ると考える場合。陽子のラブの自転軌道エネルギーが磁気の光子１個の軌道エネルギーを作ると考える場合。変換率はいくらか。
電子のラブの自転軌道エネルギー×軌道の変換率＝磁気の光子１個の軌道エネルギー
８．１８７×１０−１４Ｊ×４．１８×１０−１８ｍ×Ｎ３＝４．１８×１０−１８ｍ×１．４６４×１０−３９Ｊ
Ｎ３＝１．７８８×１０−２６
電子のラブの自転軌道エネルギーの１．７８８×１０−２６倍が磁気の光子の軌道エネルギーに変換する。
陽子のラブの自転軌道エネルギー×軌道の変換率＝磁気の光子１個の軌道エネルギー
１．５×１０−１０Ｊ×４．１８×１０−１８ｍ×Ｎ４＝４．１８×１０−１８ｍ×２．６８１×１０−３６Ｊ
Ｎ４＝１．７８７×１０−２６
電子のラブの自転軌道エネルギーの１．７８７×１０−２６倍が磁気の光子の軌道エネルギーに変換する。
○電子のラブと陽子のラブは１ｍ回転し、自分のエネルギーの４．３×１０−９倍のエネルギーを光子のエネルギーに変換する。
○これらの計算によって、仕事の変換率＝エネルギーの変換率＝軌道エネルギーの変換率であることが理解できた。
これを表にする。但し、これは、電子のラブの質量エネルギーで、ボーア磁子、ボーア半径の場合です。陽子の質量エネルギーで、核磁子の場合です。地上の場合です。
2007244191.tif 000019
【請求項１１】
変換率は何の変換率か。
私は、ラブが光子を作る変換率を仕事の変換率として考えました。仕事エネルギー＝ラブの質量エネルギー×走る距離、と考えました。
しかし、軌道質量の考えによって、高エネルギーの場では、軌道質量の関係は成立しない事を理解しました。質量エネルギーは一定であり、不変であることを理解しました。軌道によって変わるのはラブのエネルギーです。
それで、仕事＝ラブのエネルギー×走る距離＝ラブの軌道エネルギーです。
電子のラブの仕事＝電子のラブのエネルギー×走る距離
陽子のラブの仕事＝陽子のラブのエネルギー×走る距離
走る距離は公転の場合は、３．１４×公転軌道、であり、自転の場合は自転軌道です。
よって、変換率は、ラブの軌道エネルギーが光子に変換する割合です。
変換率はラブの軌道エネルギーが光子の軌道エネルギーに変換する割合です。
【請求項１２】
電子のラブの変換率はいくらか。
▲１▼電子のラブが電気の光子を作る場合。
電子のラブが１公転で作る電気の光子のエネルギー＝変換率×電子のラブのエネルギー×走る距離＝変換率×電子のラブのエネルギー×３．１４×公転軌道＝変換率×電子のラブの軌道エネルギー×３．１４＝変換率×８．６６５×１０−２４Ｊｍ×３．１４
電子のラブが１公転で作る電気の光子のエネルギー＝１．２３３×１０−４１Ｊｍ÷公転軌道
よって、
変換率×８．６６５×１０−２４Ｊｍ×３．１４＝１．２３３×１０−４１Ｊｍ÷公転軌道
変換率＝１．２３３×１０−４１Ｊｍ÷公転軌道÷（８．６６５×１０−２４Ｊｍ×３．１４）＝４．５３２×１０−１９÷軌道
電子のラブが１公転で電気の光子のエネルギーを作る変換率は、４．５３２×１０−１９÷軌道、です。
▲２▼電子のラブが磁気の光子を作る場合。
電子のラブが１自転で作る磁気の光子のエネルギー＝変換率×電子のラブのエネルギー×走る距離＝変換率×電子のラブのエネルギー×自転軌道
電子のラブが１自転で作る磁気の光子のエネルギー＝６．１１２×１０−５７Ｊｍ÷自転軌道
変換率×電子のラブのエネルギー×自転軌道＝６．１１２×１０−５７Ｊｍ÷自転軌道
変換率＝６．１１２×１０−５７Ｊｍ÷自転軌道÷（電子のラブのエネルギー×自転軌道）＝６．１１２×１０−５７Ｊｍ÷電子のラブのエネルギー÷自転軌道２＝６．１１２×１０−５７Ｊｍ÷（８．６６５×１０−２４Ｊｍ÷公転軌道）÷（３．９４５×１０−８×公転軌道）２＝４．５３２×１０−１９÷公転軌道
電子のラブが１自転で磁気の光子のエネルギーを作る変換率は、４．５３２×１０−１９÷軌道、です。
電子のラブが１自転で作る磁気の光子のエネルギー＝変換率×電子のラブのエネルギー×走る距離＝変換率×電子のラブのエネルギー×自転軌道＝変換率×（８．６６５×１０−２４Ｊｍ÷公転軌道）×公転軌道×３．１４÷（７．９６×１０７）＝変換率×３．４１８×１０−３１Ｊｍ
電子のラブが１自転で作る磁気の光子のエネルギー＝１．５４９×１０−４９Ｊｍ÷公転軌道
よって、
変換率×３．４１８×１０−３１Ｊｍ＝１．５４９×１０−４９Ｊｍ÷公転軌道
変換率＝１．５４９×１０−４９Ｊｍ÷公転軌道÷（３．４１８×１０−３１Ｊｍ）＝４．５３２×１０−１９÷公転軌道
電子のラブが１自転で磁気の光子のエネルギーを作る変換率は、４．５３２×１０−１９÷公転軌道、です。
【請求項１３】
陽子のラブの変換率はいくらか。
▲１▼陽子のラブが電気の光子を作る場合。
陽子のラブが１公転で作る電気の光子のエネルギー＝変換率×陽子のラブのエネルギー×走る距離＝変換率×陽子のラブのエネルギー×３．１４×公転軌道＝変換率×陽子のラブの軌道エネルギー×３．１４＝変換率×８．６６５×１０−２４Ｊｍ×３．１４
陽子のラブが１公転で作る電気の光子のエネルギー＝６．７２４×１０−４５Ｊｍ÷公転軌道
よって、
変換率×８．６６５×１０−２４Ｊｍ×３．１４＝６．７２４×１０−４５Ｊｍ÷公転軌道
変換率＝６．７２４×１０−４５Ｊｍ÷公転軌道÷（８．６６５×１０−２４Ｊｍ×３．１４）＝２．４７１×１０−２２÷公転軌道
陽子のラブが１公転で電気の光子のエネルギーを作る変換率は、２．４７１×１０−２２÷公転軌道、です。
▲２▼陽子のラブが磁気の光子のエネルギーを作る場合。
陽子のラブが１自転で作る磁気の光子のエネルギー＝変換率×陽子のラブのエネルギー×走る距離＝変換率×陽子のラブのエネルギー×自転軌道＝変換率×（８．６６５×１０−２４Ｊｍ÷公転軌道）×｛公転軌道×３．１４÷（４．３４×１０４自転）｝＝変換率×６．２６９×１０−２８Ｊｍ
陽子のラブが１自転で作る磁気の光子のエネルギー＝１．５４９×１０−４９Ｊｍ÷公転軌道
よって、
変換率×６．２６９×１０−２８Ｊｍ＝１．５４９×１０−４９Ｊｍ÷公転軌道
変換率＝１．５４９×１０−４９Ｊｍ÷公転軌道÷（６．２６９×１０−２８Ｊｍ）＝２．４７１×１０−２２÷公転軌道
陽子のラブが１自転で磁気の光子のエネルギーを作る変換率は、２．４７１×１０−２２÷公転軌道、です。
これを表にする。高エネルギーの場の変換率です。
2007244191.tif 000020
【請求項１４】
中性子は電子のラブと陽子のラブが結合し一緒に公転しているので、これを中性子のラブと名づける。
中性子のラブ＝電子のラブ＋陽子のラブ
中性子のラブの質量は１．６７４９２７×１０−２７Ｋｇです。
【請求項１５】
中性子のラブの公転軌道はいくらか。
▲１▼中性子のラブの質量は陽子のラブの質量とほぼ同じなので、中性子のラブの軌道は陽子の軌道と同じであると考えられる。
もう１つの考えは、
▲２▼軌道に於いて、質量は無関係であるから、中性子のラブの軌道と陽子のラブの軌道は異なっても良いということです。軌道と関係するのはラブのエネルギーである。
この２つについて考える。
▲１▼中性子の質量から軌道をもとめる。
公転軌道＝ラブの軌道エネルギー÷ラブの質量エネルギー
中性子のラブの公転軌道＝８．６６５×１０−２４Ｊｍ÷（中性子のラブの質量×８．９８７５５×１０１６Ｊ）＝８．６６５×１０−２４Ｊｍ÷（１．６７４９２７×１０−２７Ｋｇ×８．９８７５５×１０１６Ｊ）＝５．７５６×１０−１４ｍ
陽子のラブの公転軌道＝８．６６５×１０−２４Ｊｍ÷（陽子のラブの質量×８．９８７５５×１０１６Ｊ）＝８．６６５×１０−２４Ｊｍ÷（１．６７２６２×１０−２７Ｋｇ×８．９８７５５×１０１６Ｊ）＝５．７６４×１０−１４ｍ
中性子のラブの軌道と陽子のラブの軌道は５．７６×１０−１４ｍです。
５．７６×１０−１４ｍの軌道に、元素の陽子のラブと中性子のラブは交互に並んで公転しています。
但し、磁気モーメントの符号が逆なので、自転軌道は逆方向に自転している。
その結果、中性子のラブの磁気の光子と陽子のラブの磁気の光子は、軌道もエネルギーも同じで、自転方向が逆であるから、相殺される。
この事によって、中性子の数が奇数の時も核磁気モーメントは０になったり、陽子の数が奇数の時も磁気モーメントは０になったりする。核子数が偶数のときは核磁気モーメントは０になる。
又、中性子のラブの磁気の光子と陽子のラブの磁気の光子は、軌道もエネルギーも同じであるから、核磁気モーメントの絶対値は等しい。
しかし、実際はこのようではない。
よって、中性子のラブと陽子のラブは同じ軌道を公転していない。
この場合、中性子の公転軌道と陽子の公転軌道は同じなので、
１公転するときの公転軌道と、１秒間の公転数と、１秒間の自転数と、秒速と、自転軌道は陽子の場合と同じです。
１公転で作る電気の光子１個のエネルギー＝９．６６２×１０−２７Ｊ÷（４．３４×１０４公転）＝２．２２６×１０−３１Ｊ
１自転で作る磁気の光子１個のエネルギー＝９．６６２×１０−２７Ｊ÷（４．３４×１０４公転×４．３４×１０４自転）＝５．１３×１０−３６Ｊ
１公転で作る電気の光子１個の軌道エネルギー＝５．７６×１０−１４ｍ×２．２２６×１０−３１Ｊ＝１．２８２×１０−４４Ｊｍ
１自転で作る磁気の光子１個の軌道エネルギー＝４．１８×１０−１８ｍ×５．１３×１０−３６Ｊ＝２．１４４×１０−５３Ｊｍ
▲２▼中性子の磁気モーメントから軌道をもとめる。
交換率から中性子のラブのエネルギーを求め、軌道を求める。
中性子の磁気モーメントは９．６６２３６４０×１０−２７Ｊ／Ｔです。
１公転でできる電気の光子１個のエネルギーは、
９．６６２３６４０×１０−２７Ｊ÷（４．３４×１０４公転）＝２．２２６×１０−３１Ｊです。
１自転でできる磁気の光子１個のエネルギーは、
９．６６２３６４０×１０−２７Ｊ÷（４．３４×１０４公転×４．３４×１０４自転）＝５．１３×１０−３６Ｊです。
（陽子のラブが１自転で作る磁気の光子の変換率Ｍ４は、
陽子のラブのエネルギー×Ｍ４＝磁気の光子のエネルギー
１．５×１０−１０Ｊ×Ｍ４＝２．６８×１０−３６Ｊ
Ｍ４＝１．７８×１０−２６倍です。
陽子のラブが１自転で磁気の光子を作る変換率は１．７８×１０−２６倍です。）
それで、中性子のラブが磁気の光子を作る変換率も１．７８×１０−２６倍です。
中性子のラブのエネルギーをｘとすると、
ｘ×１．７８×１０−２６＝５．１３×１０−３６Ｊ
ｘ＝２．８８２×１０−１０Ｊです。
中性子のラブのエネルギーは、２．８８２×１０−１０Ｊです。
この軌道はいくらか。
ラブの軌道エネルギー÷中性子のエネルギー＝８．６６５×１０−２４Ｊｍ÷（２．８８２×１０−１０Ｊ）＝３×１０−１４ｍ
よって、中性子のラブの軌道は３×１０−１４ｍです。
私は、太陽の中で、深さが７×１０５Ｋｍのとき、電子のラブの軌道は２．５８２×１０−１４ｍで中性子ができると理解しました。それで、中性子のラブの軌道は、３×１０−１４ｍであると理解します。
陽子のラブは、５．７６４×１０−１４ｍの軌道を公転します。
中性子はその内側で、３×１０−１４ｍの軌道を公転します。
公転方向が逆になるので、自転方向も逆に成ります。
中性子のラブの秒速＝３．１４×公転軌道×１秒間の公転数＝３．１４×３×１０−１４ｍ×７．９６×１０７×４．３４×１０４＝０．３２５ｍ
中性子のラブの自転軌道＝３．１４×公転軌道÷（４．３４×１０４自転）＝３．１４×３×１０−１４ｍ÷（４．３４×１０４自転）＝２．１７１×１０−１８ｍ
中性子のラブが１公転で作る電気の光子１個の軌道エネルギー＝公転軌道×電気の光子１個のエネルギー＝３×１０−１４ｍ×２．２２６×１０−３１Ｊ＝６．６７８×１０−４５Ｊｍ
中性子のラブが１自転で作る磁気の光子１個の軌道エネルギー＝自転軌道×磁気の光子１個のエネルギー＝２．１７１×１０−１８ｍ×５．１３×１０−３６Ｊ＝１．１１４×１０−５３Ｊｍ
これを表にする。
2007244191.tif 000021
2007244191.tif 000022
【請求項１６】
電子のラブの大きさは変化するか。電子の大きさは何か。陽子の大きさは何か。
ビッグバンの以前、電子のラブの大きさは約１０−２８ｍでした。
これが次第に拡大した。自転軌道が電子のラブの大きさである。
電子の大きさは、電子のラブの自転軌道である。
陽子の大きさは、陽子のラブの自転軌道である。
この根拠は、変化率を計算する時、自転軌道の場合、走る距離に３．１４を乗じない値が自転軌道の値になるからです。
よって、電子のラブの大きさは自転軌道の大きさです。
ビッグバンの以前、電子のラブの大きさは約１０−２８ｍでした。
これは、ビッグバンの以前の軌道は、約１０−２０ｍだったので、電子のラブの自転軌道は１０−２０−８ｍ＝１０−２８ｍだったからです。
１５０億年後、電子のラブの公転軌道は、１０−２０ｍから１０−１０ｍになりました。それで、電子のラブの自転軌道は、１０−２８ｍから１０−１８ｍになりました。
電子のラブの大きさは１０−２８ｍから１０−１８ｍになりました。
ビッグバンの温度は、地球の温度の（１０１０）２＝１０２０倍で、１０２０℃でした。
【請求項１７】
１秒間に引力と成る磁気の光子のエネルギーを求める式はどのようであるか。
地上では、１原子当たり引力と成る磁気の光子は１．３５６４×１０−３２Ｊです。これは１秒間でできる磁気の光子のエネルギーの何倍か。
１秒間でできる磁気の光子のエネルギーは、７．８１５×１０−２６Ｊｍ÷公転軌道＝７．８１５×１０−２６Ｊｍ÷（１．０５８３６×１０−１０ｍ）＝７．３８４×１０−１６Ｊです。
引力と成る磁気の光子のエネルギーは、１秒間にできる磁気の光子のエネルギーの、
１．３５６４×１０−３２Ｊ÷（７．３８４×１０−１６Ｊ）＝１．８３７×１０−１７倍です。
それで、１秒間に１原子が作る引力と成る磁気の光子のエネルギーの式は、
７．８１５×１０−２６Ｊｍ÷公転軌道×１．８３７×１０−１７倍＝１．４３６×１０−４２Ｊｍ÷軌道、です。
１秒間に１原子が作る引力と成る磁気の光子のエネルギーの式は、１．４３６×１０−４２Ｊｍ÷軌道、です。
【請求項１８】
引力と成る磁気の光子は、何回の自転でできるか。
１自転でできる磁気の光子のエネルギーは、１．５４９×１０−４９Ｊｍ÷公転軌道ですから、１秒間に１原子が作る引力と成る磁気の光子のエネルギーは、
１秒間に１原子が作る引力と成る磁気の光子のエネルギー÷１自転でできる磁気の光子のエネルギー＝１．４３６×１０−４２Ｊｍ÷公転軌道÷（１．５４９×１０−４９Ｊｍ÷軌道）＝９．２７×１０６自転でできる。
よって、地球や太陽のどの深さにおいても、電子のラブの自転によってできる引力と成る磁気の光子のエネルギーは、電子のラブが９．２７×１０６回自転してでできる。
【請求項１９】
１原子が作る引力と成る磁気の光子のエネルギーは、どうして９．２７×１０６自転でできるのか。引力の発生原理。
電子のラブと陽子のラブの自転軌道は同じで、回転方向が反対なので、相殺する。それで、引力と成る磁気の光子はその残った磁気の光子です。
電子のラブは１秒間に、（７．９６×１０７）３自転です。
陽子のラブは１秒間に、７．９６×１０７束×（４．３４×１０４）２自転です。
それで、（７．９６×１０７）３自転：７．９６×１０７束×（４．３４×１０４）２自転＝３．３６×１０６：１残る自転数は、３．３６×１０６自転です。
この磁気の光子が引力と成る。
【請求項２０】
１Ｋは、電子のラブが何回公転してできる電気の光子のエネルギーか。
電子のラブが１回公転してできる電気の光子のエネルギーは、
１．２３３×１０−４１Ｊｍ÷軌道、です。
１Ｋ＝１．３８×１０−２３Ｊは、電子のラブが、
１Ｋのエネルギー÷１公転でできる電気の光子のエネルギー＝１．３８×１０−２３Ｊ÷（１．２３３×１０−４１Ｊｍ÷軌道）＝１．１１９×１０１８×軌道、回公転してできる。
【請求項２１】
１℃は、電子のラブが何回公転してできるか。
１℃＝２７４Ｋ＝２７４×１．３８×１０−２３Ｊ＝３．７８１２×１０−２１Ｊ
３．７８１２×１０−２１Ｊは電子のラブが、
３．７８１２×１０−２１Ｊ÷１公転でできる電気の光子のエネルギー＝３．７８１２×１０−２１Ｊ÷（１．２３３×１０−４１Ｊｍ÷軌道）＝３．０６７×１０２０×軌道、回公転してできる。
【請求項２２】
Ａ℃は電子のラブが何回公転してできるか。
Ａ×３．７８１２×１０−２１Ｊ÷１公転でできる電気の光子のエネルギー＝Ａ×３．７８１２×１０−２１Ｊ÷（１．２３３×１０−４１Ｊｍ÷軌道）＝Ａ×３．０６７×１０２０×軌道
Ａ℃は電子のラブがＡ×３．０６７×１０２０×軌道、回公転してできる。
【請求項２３】
電子のラブの公転によってできる熱エネルギーは、電子のラブが何回公転して作る電気の光子のエネルギーか。
電子のラブの軌道＝１０−１０ｍ÷温度１／２
電子のラブが１公転で作る電気の光子のエネルギーは、
１．２３３×１０−４１Ｊｍ÷（１０−１０ｍ÷温度１／２）＝１．２３３×１０−３１Ｊ×温度１／２
それで、温度１／２のエネルギーを作るためには、何回転でできるか。
温度１／２のエネルギーを作るためには、
温度１／２×３．７８１２×１０−２１Ｊ÷１公転で作る電気の光子のエネルギー＝温度１／２×３．７８１２×１０−２１Ｊ÷（１．２３３×１０−３１Ｊ×温度１／２）＝３．０６７×１０１０公転でできる。
よって、地球や太陽のどの深さにおいても電子のラブの公転によってできる熱エネルギーは、電子のラブが３．０６７×１０１０回公転してでできる電気の光子のエネルギーです。
【請求項２４】
１秒間に熱となる電気の光子のエネルギーを求める式はどのようであるか。
熱となる電気の光子のエネルギーは、３．０６７×１０１０回の公転でできます。
これは、１秒間にできる電気の光子のエネルギーの、
３．０６７×１０１０公転÷（７．９６×１０７）２公転＝４．８４×１０−６倍です。
１秒間にできる電気の光子のエネルギーは、７．８１５×１０−２６Ｊｍ÷軌道、ですから、１秒間に熱と成る電気の光子のエネルギーの式は、
７．８１５×１０−２６Ｊｍ÷軌道×４．８４×１０−６＝３．７８２×１０−３１Ｊｍ÷軌道です。
１秒間に熱と成る電気の光子のエネルギーの式は、３．７８２×１０−３１Ｊｍ÷軌道です。
【請求項２５】
どうして、熱と成る電気の光子のエネルギーは、電子のラブが３．０６７×１０１０公転でできるのか。熱発生の原理。
陽子のラブが作る電気の光子の軌道は、電子のラブが作る電気の光子の軌道の１８３６分の１です。陽子のラブが作る電気の光子の軌道エネルギーは、電子のラブが作る電気の光子の軌道エネルギーの１８３６倍です。しかし、陽子のラブが作った電気の光子の軌道が１８３６倍に拡大し、電子のラブが作る電気の光子の軌道と同じになるとき、エネルギーは１８３６分の１に成ります。その時、陽子のラブが作った電気の光子と、電子のラブが作った電気の光子の軌道とエネルギーは同じで、回転方向が反対なので、相殺します。
電子のラブが作る電気の光子の１束は７．９６×１０７公転で、陽子のラブが作る電気の光子の１束は４．３４×１０４公転ですから、
７．９６×１０７公転：４．３４×１０４公転＝１．８３４×１０３：１
１束で、１．８３４×１０３公転の電気の光子が残ります。
１秒間で、７．９６×１０７束ですから、
７．９６×１０７束×１．８３４×１０３公転＝１．４６×１０１１公転の電気の光子が相殺されず残ります。
この残った電気の光子が熱エネルギーに成ります。
【請求項２６】
電子のラブが公転して作る熱エネルギーは、電子のラブが自転して作る引力と成る磁気の光子のエネルギーの何倍か。
地球や太陽のどの深さにおいても、電子のラブの公転によってできる熱エネルギーは、電子のラブが３．０６７×１０１０回公転してできる電気の光子のエネルギーです。
地球や太陽のどの深さにおいても、電子のラブが自転してできる引力と成る磁気の光子のエネルギーは、電子のラブが９．２７×１０６回自転してできる。
１公転の電気の光子のエネルギーは、磁気の光子のエネルギーの７．９６×１０７倍です。
よって、熱となる電気の光子のエネルギーは、引力と成る磁気の光子のエネルギーの、
３．０６７×１０１０×７．９６×１０７÷（９．２７×１０６）＝２．６３３×１０１１倍です。
１秒間にできる熱と成る電気の光子のエネルギーは、１秒間にできる引力と成る磁気の光子のエネルギーの何倍か。
１秒間にできる引力と成る磁気の光子のエネルギーの式は、１．４３６×１０−４２Ｊｍ÷軌道です。
１秒間にできる熱と成る電気の光子のエネルギーの式は、３．７８２×１０−３１Ｊｍ÷軌道です。
１秒間にできる熱と成る電気の光子のエネルギーは１秒間にできる引力と成る磁気の光子のエネルギーの、
３．７８２×１０−３１Ｊｍ÷軌道÷（１．４３６×１０−４２Ｊｍ÷軌道）＝２．６３４×１０１１倍です。
【請求項２７】
ラブが作る電気の光子のエネルギーの密度とラブが作る磁気の光子のエネルギーの密度はいくらか。
ラブが作る電気の光子のエネルギーの密度を、１公転で作る電気の光子のエネルギー÷公転軌道とする。
ラブが作る磁気の光子のエネルギーの密度を、１公転で作る磁気の光子のエネルギー÷公転軌道とする。
ラブが１公転で作る電気の光子のエネルギーと１公転で作る磁気の光子のエネルギーは等しい。公転軌道も等しい。それで、
電子のラブが作る電気の光子のエネルギーの密度＝電子のラブが作る磁気の光子のエネルギーの密度＝１公転で作る電気の光子のエネルギー÷公転軌道＝ボーア磁子÷（７．９６×１０７公転）÷ボーア直径＝９．２７４×１０−２４Ｊ÷（７．９６×１０７公転）÷（１．０５８３６×１０−１０ｍ）＝１．１６５×１０−３１Ｊ÷（１．０５８３６×１０−１０ｍ）＝１．１０１×１０−２１
陽子のラブが作る電気の光子のエネルギーの密度＝陽子のラブが作る磁気の光子のエネルギーの密度＝１公転で作る電気の光子のエネルギー÷公転軌道＝核磁子÷（４．３４×１０４公転）÷陽子のラブの公転軌道＝５．０５×１０−２７Ｊ÷（４．３４×１０４公転）÷（５．７７７×１０−１４ｍ）＝１．１６４×１０−３１Ｊ÷（５．７７７×１０−１４ｍ）＝２．０１５×１０−１８Ｊ／ｍ
陽子のラブが作る電気の光子のエネルギーの密度は、電子のラブが作る電気の光子のエネルギーの密度の、２．０１５×１０−１８÷（１．１０１×１０−２１）＝１．８３０×１０３倍です。
陽子のラブが作る磁気の光子のエネルギーの密度は、電子のラブが作る磁気の光子のエネルギーの密度の、２．０１５×１０−１８÷（１．１０１×１０−２１）＝１．８３０×１０３倍です。
これは、陽子のラブのエネルギーが電子のラブのエネルギーの１８３６倍であるからです。
陽子のラブは軌道が１８３６分の１なのに電子のラブと同じエネルギーの電気の光子と磁気の光子を作る。
【請求項２８】
電気の光子の個数の密度と磁気の光子の個数の密度はどのようであるか。
ラブが作る電気の光子の個数の密度を、１公転でできる電気の光子の個数÷ラブの公転軌道とする。
ラブが作る磁気の光子の個数の密度を、１公転で作る磁気の光子の個数÷ラブの公転軌道とする。
１公転でできる電気の光子の個数は１個です。
電子のラブが作る電気の個数の密度＝１公転でできる電気の光子の個数÷電子のラブの公転軌道＝１÷（１．０５８３６×１０−１０ｍ）＝９．４４９×１０９
電子のラブが作る磁気の光子の密度＝１公転で作る磁気の光子の個数÷電子のラブの公転軌道＝７．９６×１０７自転（個）÷（１．０５８３６×１０−１０ｍ）＝７．５２１×１０１７
陽子のラブが作る電気の個数の密度＝１公転でできる電気の光子の個数÷陽子のラブの公転軌道＝１÷（５．７７７×１０−１４ｍ）＝１．７３１×１０１３
陽子のラブが作る磁気の光子の密度＝１公転で作る磁気の光子の個数÷陽子のラブの公転軌道＝４．３４×１０４自転（個）÷（５．７７７×１０−１４ｍ）＝７．５１３×１０１７
電子のラブが作る磁気の光子の密度と陽子のラブが作る磁気の光子の密度は等しい。これは、磁気の光子は同じ間隔で作られることを示す。磁気の光子の大きさは等しい事を示す。
【発明の詳細な説明】
【技術分野】
【０００１】  この発明は、光子の質量、電子の質量エネルギー、陽子の質量エネルギー、電子の大きさ、陽子の大きさ、中性子の公転軌道、引力の発生原理、熱の発生原理に関する。
【背景技術】
【０００２】従来、陽子と電子の質量エネルギーは、Ｅ＝ｍｃ２であると考えられている。光子の質量、電子の質量エネルギー、陽子の質量エネルギー、電子の大きさ、陽子の大きさ、中性子の公転軌道、引力の発生原理、熱の発生原理について確たる論証はない。
【発明の開示】
光子はエネルギーがある。Ｅ＝ｍｃ２であるから、光子にも質量があることになる。しかし、光子には質量はない。この事はどのように論証できるか。
この問題を解決するために、原子の軌道エネルギーを考え、原子の軌道質量について考える。軌道が小さい場は高エネルギーの場である。電子のラブは、高エネルギーの場に居て、軌道を小さくするとエネルギーは大きくなる。それならば、電子のラブが陽子のラブと結合し中性子になり、陽子と同じ軌道を自転し、公転すると、電子のラブの軌道は１８３６分の１になり、エネルギーは１８３６倍になり、質量も１８３６倍になるはずである。電子のラブは中性子になると陽子と同じ質量エネルギーになるはずである。
しかし、そのようになっていない。この事は軌道エネルギーのエネルギーは、Ｅ＝ｍｃ２には成らない事を証しする。
軌道質量は成立しない事を証しする。
電子のラブの質量エネルギーは、高エネルギーの場にあっても変化しない。一定である事を証する。
陽子のラブの質量エネルギーは、高エネルギーの場にあっても変化しない。一定である事を証する。
軌道質量が成立しないので、光子のエネルギーは、Ｅ＝ｍｃ２にはならない。
この原理によって、光子にはエネルギーはあるが、そのエネルギーはＥ＝ｍｃ２にはならない事が証明できる。
【発明が解決しようとする課題】
【０００３】１．  本発明者は電子のラブの軌道を、１．２５×１０−１２ｍとして考えてきた。しかし、ボーア半径は５．２９１８×１０−１１ｍです。電子のラブの公転軌道と自転軌道はいくらか。陽子のラブの公転軌道と自転軌道はいくらか。
２．  ラブの軌道エネルギーはいくらか。電子のラブが作る電気の光子の軌道エネルギーはいくらか。電子のラブが作る磁気の光子の軌道エネルギーはいくらか。陽子のラブが作る電気の光子の軌道エネルギーはいくらか。陽子のラブが作る磁気の光子の軌道エネルギーはいくらか。
３．  軌道エネルギーとは何を現すか。
４．  軌道質量について。
５．  軌道質量は何を現すか。
６．  軌道質量によって何が理解できるか。光子には質量はあるか。光子には質量がないことの証明。公転軌道によって質量は変わるか。公転軌道によって質量は変わらない事の証明。電子のラブの質量エネルギーと陽子のラブの質量エネルギーは一定である事の証明。
７．  ▲１▼電子のラブの公転の仕事が電気の光子のエネルギーを作ると考える場合。陽子のラブの公転の仕事が電気の光子のエネルギーを作ると考える場合。変換率はいくらか。
▲２▼電子のラブの自転の仕事が磁気の光子のエネルギーを作ると考える場合。陽子のラブの自転の仕事が磁気の光子のエネルギーを作ると考える場合。変換率はいくらか。
８．  ▲１▼電子のラブの公転の仕事が電気の光子の仕事を作ると考える場合。陽子のラブの公転の仕事が電気の光子の仕事を作ると考える場合。変換率はいくらか。
▲２▼電子のラブの自転の仕事が磁気の光子の仕事を作ると考える場合。陽子のラブの自転の仕事が磁気の光子の仕事を作ると考える場合。変換率はいくらか。
９．  ▲１▼電子のラブのエネルギーが電気の光子のエネルギーを作ると考える場合。陽子のラブのエネルギーが電気の光子のエネルギーを作ると考える場合。変換率はいくらか。
▲２▼電子のラブのエネルギーが磁気の光子のエネルギーを作ると考える場合。陽子のラブのエネルギーが磁気の光子のエネルギーを作ると考える場合。変換率はいくらか。
１０．  ▲１▼電子のラブの軌道エネルギーが電気の光子１個の軌道エネルギーを作ると考える場合。陽子のラブの軌道エネルギーが電気の光子１個の軌道エネルギーを作ると考える場合。変換率はいくらか。
▲２▼電子のラブの自転軌道エネルギーが磁気の光子１個の軌道エネルギーを作ると考える場合。陽子のラブの自転軌道エネルギーが磁気の光子１個の軌道エネルギーを作ると考える場合。変換率はいくらか。
１１．  変換率は何の変換率か。
１２．  電子のラブの変換率はいくらか。
１３．  陽子のラブの変換率はいくらか。
１４．  中性子は電子のラブと陽子のラブが結合し一緒に公転しているので、これを中性子のラブと名づける。
１５．  中性子のラブの公転軌道はいくらか。
１６．  電子のラブの大きさは変化するか。
１７．  １秒間に引力と成る磁気の光子のエネルギーを求める式はどのようであるか。
１８．  引力と成る磁気の光子は、何回の自転でできるか。
１９．  １原子が作る引力と成る磁気の光子のエネルギーは、どうして９．２７×１０６自転でできるのか。引力の発生原理。
２０．  １Ｋは、電子のラブが何回公転してできる電気の光子のエネルギーか。
２１．  １℃は、電子のラブが何回公転してできるか。
２２．  Ａ℃は電子のラブが何回公転してできるか。
２３．  電子のラブの公転によってできる熱エネルギーは、電子のラブが何回公転して作る電気の光子のエネルギーか。
２４．  １秒間に熱となる電気の光子のエネルギーを求める式はどのようであるか。
２５．  どうして、熱と成る電気の光子のエネルギーは、電子のラブが３．０６７×１０１０公転でできるのか。熱発生の原理。
２６．  電子のラブが公転して作る熱エネルギーは、電子のラブが自転して作る引力と成る磁気の光子のエネルギーの何倍か。
２７．  ラブが作る電気の光子のエネルギーの密度とラブが作る磁気の光子のエネルギーの密度はいくらか。
２８．  電気の光子の個数の密度と磁気の光子の個数の密度はどのようであるか。
【発明を解決するための手段】
【０００４】電子のラブの公転軌道をボーア半径×２にするので、電子のラブの性質と陽子のラブの性質について再検討する。
軌道質量について、発明の開示のように考える。
変換率については、２００６年９月３０日に提出した特願２００６−２９３２８１に記したのでこれについて再考する。
軌道質量と変換率で理解できた事から、中性子のラブの公転軌道を計算する。
変換率で理解できた事から、電子のラブの大きさや陽子のラブの大きさについて理解する。
引力と熱については、２００６年７月３１日に提出した特願２００６−２２９８３８と２００６年８月２０日に提出した特願２００６−２５０００２に記したのでこれについて再考する。
ラブが作る電気の光子のエネルギーの密度と数の密度、磁気の光子のエネルギーの密度と数の密度については、２００６年９月３０日に提出した特願２００６−２９３２８１に記したのでこれについて再考する。
【発明の実施態様】
【０００５】１．  本発明者は電子のラブの軌道を、１．２５×１０−１２ｍとして考えてきた。しかし、ボーア半径は５．２９１８×１０−１１ｍです。電子のラブの公転軌道と自転軌道はいくらか。陽子のラブの公転軌道と自転軌道はいくらか。（陽子は核子の陽子とする。）
電子のラブの公転軌道を、ボーア半径×２＝５．２９１８×１０−１１ｍ×２＝１．０５８×１０−１０ｍとします。
電子のラブの公転軌道＝１．０５８３６×１０−１０ｍ
電子のラブの自転軌道＝３．１４×公転軌道÷１公転するときの自転数＝３．１４×１．０５８３６×１０−１０ｍ÷（７．９６×１０７自転）＝４．１７５×１０−１８ｍ
電子のラブのエネルギー＝電子のラブの質量×８．９８７５５×１０１６Ｊ＝９．１０９３８×１０−３１Ｋｇ×８．９８７５５×１０１６Ｊ＝８．１８７×１０−１４Ｊ
電子のラブの軌道エネルギー＝電子のラブの軌道×電子のラブのエネルギー＝１．０５８×１０−１０ｍ×８．１８７×１０−１４Ｊ＝８．６６５×１０−２４Ｊｍ
ラブの軌道エネルギー＝８．６６５×１０−２４Ｊｍ
電子のラブが１公転で作る電気の光子のエネルギー＝ボーア磁子÷１束の公転数＝９．２７４×１０−２４Ｊ÷（７．９６×１０７公転）＝１．１６５×１０−３１Ｊ
電子のラブが１自転して作る磁気の光子のエネルギー＝ボーア磁子÷（１束の公転数×１公転するときの自転数）＝９．２７４×１０−２４Ｊ÷（７．９６×１０７公転×７．９６×１０７自転）＝１．４６４×１０−３９Ｊ
電子のラブが１秒間に作る電気の光子のエネルギーと磁気の光子のエネルギー＝ボーア磁子×１秒間にできる束＝９．２７４×１０−２４Ｊ×７．９６×１０７束＝７．３８２×１０−１６Ｊ
電子のラブの秒速＝３．１４×公転軌道×１秒間の公転数＝３．１４×ボーア半径×２×（７．９６×１０７×７．９６×１０７）＝３．１４×１．０５８３６×１０−１０×７．９６×１０７×７．９６×１０７＝２．１０５×１０６ｍです。
電子のラブの１秒間の公転数＝７．９６×１０７束×７．９６×１０７公転＝６．３３６×１０１５公転
電子のラブの１秒間の自転数＝７．９６×１０７束×７．９６×１０７公転×７．９６×１０７自転＝５．０４４×１０２３自転
陽子のラブの公転軌道＝ラブの軌道エネルギー÷陽子のラブのエネルギー＝８．６６５×１０−２４Ｊｍ÷（１．５×１０−１０Ｊ）＝５．７７７×１０−１４ｍ
陽子のラブの自転軌道＝３．１４×公転軌道÷１公転するときの自転数＝３．１４×５．７７７×１０−１４ｍ÷（４．３４×１０４自転）＝４．１８０×１０−１８ｍ
陽子のラブが１公転で作る電気の光子のエネルギー＝核磁子÷１束の公転数＝５．０５×１０−２７Ｊ÷（４．３４×１０４公転）＝１．１６４×１０−３１Ｊ
陽子のラブが１自転して作る磁気の光子のエネルギー＝核磁子÷（１束の公転数×１公転するときの自転数）＝５．０５×１０−２７Ｊ÷（４．３４×１０４公転×４．３４×１０４自転）＝２．６８１×１０−３６Ｊ
陽子のラブが１秒間に作る電気の光子のエネルギーと磁気の光子のエネルギー＝核磁子×１秒間にできる束＝５．０５×１０−２７Ｊ×７．９６×１０７束＝４．０２×１０−１９Ｊ
陽子のラブの秒速＝３．１４×公転軌道×１秒間の公転数＝３．１４×｛ラブの軌道エネルギー÷（陽子の質量エネルギー）｝×（７．９６×１０７×４．３４×１０４）＝３．１４×（８．６６５×１０−２４Ｊｍ）÷（１．５×１０−１０Ｊ）×７．９６×１０７×４．３４×１０４＝０．６２７ｍです。
陽子のラブの１秒間の公転数＝７．９６×１０７束×４．３４×１０４公転＝３．４５５×１０１２公転
陽子のラブの１秒間の自転数＝７．９６×１０７束×４．３４×１０４公転×４．３４×１０４自転＝１．５×１０１７自転
本発明者の従来の考えと、ボーア磁子とボーア半径により計算した場合を表にする。
陽子の場合は核子の陽子で、核磁子より計算した場合を表にする。
2007244191.tif 000003
２．  ラブの軌道エネルギーはいくらか。電子のラブが作る電気の光子の軌道エネルギーはいくらか。電子のラブが作る磁気の光子の軌道エネルギーはいくらか。陽子のラブが作る電気の光子の軌道エネルギーはいくらか。陽子のラブが作る磁気の光子の軌道エネルギーはいくらか。
本発明者は、従来、軌道エネルギーを次のように理解している。
ラブの軌道エネルギーは、１．２５×１０−１０ｍ×８×１０−１４Ｊ＝１０−２３Ｊｍであり、電子のラブが作る電気の光子の軌道エネルギーは、１．２５×１０−１０ｍ×８×１０−３０Ｊ＝１０−３９Ｊｍであり、電子のラブが作る磁気の光子の軌道エネルギーは、１．２５×１０−１８ｍ×８×１０−３８Ｊ＝１０−５５Ｊｍであり、陽子のラブが作る電気の光子の軌道エネルギーは、６．６７×１０−１４ｍ×８×１０−３０Ｊ＝５．３３６×１０−４３Ｊｍであり、陽子のラブが作る磁気の光子の軌道エネルギーは、６．６７×１０−２２ｍ×８×１０−３８Ｊ＝５．３３６×１０−５９Ｊｍです。
今回は、ボーア磁子とボーア半径と核磁子より計算した軌道とエネルギーに基づき軌道エネルギーを求める。（陽子は核子の陽子です。）
ラブの軌道エネルギーは、
電子のラブの軌道エネルギー＝１．０５８３６×１０−１０ｍ×８．１８７×１０−１４Ｊ＝８．６６５×１０−２４Ｊｍ
陽子のラブの軌道エネルギー＝５．７７７×１０−１４ｍ×１．５×１０−１０Ｊ＝８．６６６×１０−２４Ｊｍです。
電子のラブが１公転で作る電気の光子の軌道エネルギーは、
電気の光子の軌道エネルギー＝１．０５８３６×１０−１０ｍ×１．１６５×１０−３１Ｊ＝１．２３３×１０−４１Ｊｍです。
電子のラブが１自転で作る磁気の光子の軌道エネルギーは、
磁気の光子の軌道エネルギー＝４．１７５×１０−１８ｍ×１．４６４×１０−３９Ｊ＝６．１１２×１０−５７Ｊｍです。
電子のラブが１自転で作る磁気の光子のエネルギー＝６．１１２×１０−５７Ｊｍ÷自転軌道
電子のラブの自転軌道＝３．１４×公転軌道÷（７．９６×１０７自転）＝３．９４５×１０−８×公転軌道、ですから、
電子のラブが１自転で作る磁気の光子のエネルギー＝６．１１２×１０−５７Ｊｍ÷自転軌道＝６．１１２×１０−５７Ｊｍ÷（３．９４５×１０−８×公転軌道）＝１．５４９×１０−４９Ｊｍ÷公転軌道
陽子のラブが１公転で作る電気の光子の軌道エネルギーは、
電気の光子の軌道エネルギー＝５．７７７×１０−１４ｍ×１．１６４×１０−３１Ｊ＝６．７２４×１０−４５Ｊｍです。
陽子のラブが１自転で作る磁気の光子の軌道エネルギーは、
磁気の光子の軌道エネルギー＝４．１８×１０−１８ｍ×２．６８１×１０−３６Ｊ＝１．１２１×１０−５３Ｊｍです。
陽子のラブが１自転で作る磁気の光子のエネルギー＝１．１２１×１０−５３Ｊｍ÷自転軌道
陽子のラブの自転軌道＝３．１４×公転軌道÷（４．３４×１０４自転）＝７．２３５×１０−５×公転軌道、ですから、
陽子のラブが１自転で作る磁気の光子のエネルギー＝１．１２１×１０−５３Ｊｍ÷自転軌道＝１．１２１×１０−５３Ｊｍ÷（７．２３５×１０−５×公転軌道）＝１．５４９×１０−４９Ｊｍ÷公転軌道です。
電子のラブが１秒間に作る電気の光子のエネルギーは、
電子のラブが１公転で作る電気の光子のエネルギー×１秒間の公転数ー＝１．２３３×１０−４１Ｊｍ÷軌道×（７．９６×１０７）２公転＝７．８１２×１０−２６Ｊｍ÷軌道、です。
電子のラブが１秒間に作る磁気の光子のエネルギーは、
電子のラブが１自転で作る磁気の光子のエネルギー×１秒間の自転数ー＝６．１１２×１０−５７Ｊｍ÷自転軌道×（７．９６×１０７）３自転＝３．０８３×１０−３３Ｊｍ÷自転軌道
３．０８３×１０−３３Ｊｍ÷自転軌道＝３．０８３×１０−３３Ｊｍ÷（３．９４５×１０−８×公転軌道）＝７．８１５×１０−２６Ｊｍ÷公転軌道
陽子のラブが１秒間に作る電気の光子のエネルギーは、
陽子のラブが１公転で作る電気の光子のエネルギー×１秒間の公転数ー＝６．７２４×１０−４５Ｊｍ÷軌道×７．９６×１０７×４．３４×１０４公転＝２．３２３×１０−３２Ｊｍ÷軌道、です。
陽子のラブが１秒間に作る磁気の光子のエネルギーは、
陽子のラブが１自転で作る磁気の光子のエネルギー×１秒間の自転数ー＝１．１２１×１０−５３Ｊｍ÷自転軌道×７．９６×１０７×（４．３４×１０４）２自転＝１．６８１×１０−３６Ｊｍ÷自転軌道
１．６８１×１０−３６Ｊｍ÷自転軌道＝１．６８１×１０−３６Ｊｍ÷（７．２３５×１０−５×公転軌道）＝２．３２３×１０−３２Ｊｍ÷公転軌道
但し、これは１個の光子の軌道エネルギーです。１個のラブの軌道エネルギーです。
これを表にする。
2007244191.tif 000004
2007244191.tif 000005
電子のラブと陽子のラブの性質を表にする。
2007244191.tif 000006
2007244191.tif 000007
３．  軌道エネルギーとは何を現すか。
ラブの軌道エネルギーは、電子のラブ１個のエネルギー×公転軌道です。
電子の光子の軌道エネルギーとは、電気の光子１個のエネルギー×公転軌道です。
磁気の光子の軌道エネルギーとは、磁気の光子１個のエネルギー×公転軌道です。
それで、軌道エネルギーとは、軌道に於ける光子のエネルギーを現す。
ラブは光子の塊であるから、ラブの軌道エネルギーは、たくさん集まった光子の塊のエネルギー×軌道である。
それでは、電子のラブは何個の電気の光子が集まったものであるか。
公転軌道は同じですから、電子のラブは何個の電気の光子の塊か。
ラブの軌道エネルギー÷電子のラブが１公転で作る電気の光子の１個の軌道エネルギー＝８．６６５×１０−２４Ｊｍ÷（１．２３３×１０−４１Ｊｍ）＝７．０２８×１０１７（個）です。
電子のラブは、７．０２８×１０１７（個）の電気の光子の塊です。
陽子のラブは何個の電気の光子が集まったものであるか。
公転軌道は同じですから、陽子のラブは何個の電気の光子の塊か。
ラブの軌道エネルギー÷陽子のラブが１公転で作る電気の光子１個の軌道エネルギー＝８．６６５×１０−２４Ｊｍ÷軌道÷（６．７２４×１０−４５Ｊｍ÷軌道）＝１．２８７×１０２１（個）です。
陽子のラブは、１．２８７×１０２１（個）の電気の光子の塊です。
４．  軌道質量について。
軌道質量とは、軌道エネルギーと同じことで、エネルギーを質量にしたものです。
１Ｋｇ＝８．９８７５５×１０１６Ｊで、１Ｊ＝１．１１２６５×１０−１７Ｋｇですから、
軌道質量＝軌道エネルギー×１．１１２６５×１０−１７Ｋｇ  です。
▲１▼ラブの軌道質量はいくらか。
ラブの軌道質量は、ラブの質量×ラブの公転軌道です。
電子のラブの質量は、９．１０９５×１０−３１Ｋｇです。
電子のラブの公転軌道はボーア直径です。
電子のラブの軌道質量は、電子のラブの公転軌道×電子のラブの質量＝１．０５８３６×１０−１０ｍ×９．１０９５×１０−３１Ｋｇ＝９．６４１×１０−４１ｍＫｇ  です。
陽子のラブの質量は、１．６７２６５×１０−２７Ｋｇです。
陽子の公転軌道はボーア直径÷１８３６です。陽子の公転軌道＝１．０５８３６×１０−１０ｍ÷１８３６＝５．７６４×１０−１４ｍ
陽子のラブの軌道質量は、陽子のラブの公転軌道×陽子のラブの質量＝５．７６４×１０−１４ｍ×１．６７２６５×１０−２７Ｋｇ＝９．６４１×１０−４１ｍＫｇ  です。
ラブの軌道質量は、
ラブの軌道エネルギー×１．１１２６５×１０−１７Ｋｇ＝８．６６５×１０−２４Ｊｍ×１．１１２６５×１０−１７Ｋｇ＝９．６４１×１０−４１ｍＫｇです。
▲２▼電気の光子の軌道質量はいくらか。
電子のラブが作る電気の光子１個の質量は、１束の磁気の光子のエネルギー÷１束の公転数×１．１１２６５×１０−１７Ｋｇ＝ボーア磁子÷（７．９６×１０７公転）×１．１１２６５×１０−１７Ｋｇ＝９．２７４×１０−２４Ｊ÷（７．９６×１０７公転）×１．１１２６５×１０−１７Ｋｇ＝１．２９６×１０−４８Ｋｇです。軌道はボーア直径です。
電子のラブが作る電気の光子の軌道質量は、１．０５８３６×１０−１０ｍ×１．２９６×１０−４８Ｋｇ＝１．３７２×１０−５８ｍＫｇです。
電子のラブが作る電気の光子の軌道エネルギー×１．１１２６５×１０−１７Ｋｇ＝１．２３３×１０−４１Ｊｍ×１．１１２６５×１０−１７Ｋｇ＝１．３７２×１０−５８ｍＫｇ
・電子のラブが作る電気の光子の軌道質量は、１．３７２×１０−５８ｍＫｇです。
・陽子のラブが作る電気の光子の軌道質量は、
陽子のラブが作る電気の光子の軌道エネルギー×１．１１２６５×１０−１７Ｋｇ＝６．７３×１０−４５Ｊｍ×１．１１２６５×１０−１７Ｋｇ＝７．４８８×１０−６２ｍＫｇです。
▲３▼磁気の光子の軌道質量はいくらか。
電子のラブが作る磁気の光子１個の質量は、ボーア磁子÷（７．９６×１０７個）２×１．１１２６５×１０−１７Ｋｇ＝９．２７４×１０−２４Ｊ÷（７．９６×１０７個）２×１．１１２６５×１０−１７Ｋｇ＝１．６２９×１０−５６Ｋｇです。
電子のラブが作る磁気の光子の軌道質量は、４．１７５×１０−１８ｍ×１．６２９×１０−５６Ｋｇ＝６．８０１×１０−７４ｍＫｇです。
電子のラブが作る磁気の光子の軌道エネルギー×１．１１２６５×１０−１７Ｋｇ＝６．１１２×１０−５７Ｊｍ×１．１１２６５×１０−１７Ｋｇ＝６．８０１×１０−７４ｍＫｇ
・電子のラブが作る磁気の光子の軌道質量は、６．８０１×１０−７４ｍＫｇです。
・陽子のラブが作る磁気の光子の軌道質量は、
陽子のラブが作る磁気の光子の軌道エネルギー×１．１１２６５×１０−１７Ｋｇ＝１．１２１×１０−５３Ｊｍ×１．１１２６５×１０−１７Ｋｇ＝１．２４７×１０−７０ｍＫｇです。
これを表にする。
2007244191.tif 000008
５．  軌道質量は何を現すか。
軌道質量とは、軌道に於ける光子の質量を現す。
Ｅ＝ｍｃ２です。ｍ＝Ｅ÷ｃ２です。
軌道質量は、ｍ−Ｅ÷ｃ２によって得られる質量×軌道  です。
軌道質量＝軌道エネルギー÷ｃ２＝軌道エネルギー÷（３×１０８）２＝軌道エネルギー÷（９×１０１６）＝軌道エネルギー×１．１１×１０−１７です。
６．  軌道質量によって何が理解できるか。光子には質量はあるか。光子には質量がないことの証明。公転軌道によって質量は変わるか。公転軌道によって質量は変わらない事の証明。電子のラブの質量エネルギーと陽子のラブの質量エネルギーは一定である事の証明。
ラブの軌道質量は、９．６４１×１０−４１ｍＫｇです。
電子のラブが作る電気の光子の軌道質量は、１．３７２×１０−５８ｍＫｇです。
陽子のラブが作る電気の光子の軌道質量は、７．４８８×１０−６２ｍＫｇです。
電子のラブが作る磁気の光子の軌道質量は、６．８０１×１０−７４ｍＫｇです。
陽子のラブが作る磁気の光子の軌道質量は、１．２４７×１０−７０ｍＫｇです。
この式から、電子のラブも陽子のラブも軌道が小さくなると質量は大きくなることが理解できる。
・例えば、電子のラブの軌道が１０−１０ｍの場合。
電子のラブの質量は、９．６４１×１０−４１ｍＫｇ÷１０−１０ｍ＝９．６４１×１０−３１Ｋｇです。
陽子のラブの公転軌道は、１０−１０ｍ÷１８３６＝５．４４６×１０−１４ｍですから、
陽子のラブの質量は、９．６４１×１０−４１ｍＫｇ÷（５．４４６×１０−１４ｍ）＝１．７７０×１０−２７Ｋｇです。
電子のラブが作る電気の光子１個の質量は、１．３７２×１０−５８ｍＫｇ÷１０−１０ｍ＝１．３７２×１０−４８Ｋｇです。
電子のラブの自転軌道は、公転軌道×３．１４÷（７．９６×１０７自転）＝１０−１０ｍ×３．１４÷（７．９６×１０７自転）＝３．９４５×１０−１８ｍです。
磁気の光子の軌道も３．９４５×１０−１８ｍです。
電子のラブが作る磁気の光子１個の質量は、６．８０１×１０−７４ｍＫｇ÷（３．９４５×１０−１８ｍ）＝１．７２４×１０−５６Ｋｇです。
陽子のラブの自転軌道は、陽子のラブの公転軌道×３．１４÷（４．３４×１０４自転）＝５．４４６×１０−１４ｍ×３．１４÷（４．３４×１０４自転）＝３．９４０×１０−１８ｍです。
陽子のラブが作る磁気の光子１個の質量は、１．２４７×１０−７０ｍＫｇ÷自転軌道＝１．２４７×１０−７０ｍＫｇ÷（３．９４０×１０−１８ｍ）＝３．１６５×１０−５３Ｋｇです。
・例えば、電子のラブの軌道が１０−１２ｍの場合。
電子のラブの質量は、９．６４１×１０−４１ｍＫｇ÷１０−１２ｍ＝９．６４１×１０−２９Ｋｇです。
陽子のラブの公転軌道は、１０−１２ｍ÷１８３６＝５．４４６×１０−１６ｍですから、
陽子のラブの質量は、９．６４１×１０−４１ｍＫｇ÷（５．４４６×１０−１６ｍ）＝１．７７０×１０−２５Ｋｇです。
電子のラブが作る電気の光子１個の質量は、１．３７２×１０−５８ｍＫｇ÷１０−１２ｍ＝１．３７２×１０−４６Ｋｇです。
陽子のラブが作る電気の光子１個の質量は、７．４８８×１０−６２ｍＫｇ÷（５．４４６×１０−１６ｍ）＝１．３７５×１０−４６Ｋｇです。
電子のラブの自転軌道は、公転軌道×３．１４÷（７．９６×１０７自転）＝１０−１２ｍ×３．１４÷（７．９６×１０７自転）＝３．９４５×１０−２０ｍです。
磁気の光子の軌道も３．９４５×１０−２０ｍです。
電子のラブが作る磁気の光子１個の質量は、６．８０１×１０−７４ｍＫｇ÷（３．９４５×１０−２０ｍ）＝１．７２４×１０−５４Ｋｇです。
陽子のラブの自転軌道は、陽子のラブの公転軌道×３．１４÷（４．３４×１０４自転）＝５．４４６×１０１６ｍ×３．１４÷（４．３４×１０４自転）＝３．９４０×１０−２０ｍです。
陽子のラブが作る磁気の光子１個の質量は、１．２４７×１０−７０ｍＫｇ÷（３．９４５×１０−２０ｍ）＝３．１６１×１０−５１Ｋｇです。
このように、軌道がＡ倍小さくなると質量はＡ倍大きくなる。
電子のラブも陽子のラブも電気の光子も磁気の光子も、軌道がＡ倍小さくなると質量はＡ倍大きくなる。
この事によって、もし電子のラブが、陽子のラブの軌道になった場合、電子のラブの質量は陽子のラブの質量になる。
・もし、電子のラブの公転軌道が、５．７６４×１０−１４ｍになると、電子のラブの質量は、
９．６４１×１０−４１ｍＫｇ÷（５．７６４×１０−１４ｍ）＝１．６７３×１０−２７Ｋｇになる。
電子のラブの質量は陽子のラブの質量になる。
中性子の質量は陽子の質量の２倍になる。
しかし、実際このようにはなっていない。
よって、軌道質量は成立しない。
軌道質量は成立しないから、光子のエネルギーはＥ＝ｍｃ２には成らない。光子のエネルギーは質量には成らない。よって、光子には質量は無い。この事によって、光子には質量が無い事が証明される。
この軌道質量の考えによって、光子には質量が無い事が証明された。
公転軌道によって質量は変わらない。
Ｅ＝ｍｃ２の公式は、公転軌道においては成立しない。
この軌道質量の考えによって、質量は変わらない事が証明された。
どのような高エネルギーの場でも、電子のラブの質量は一定である。
どのような高エネルギーの場でも、陽子のラブの質量は一定である。
どのような高エネルギーの場でも、中性子のラブの質量は一定である。
しかし、エネルギーは変わる。
電子のラブのエネルギーは変わる。
陽子のラブのエネルギーは変わる。
中性子のラブのエネルギーは変わる。
光子には質量は無いがエネルギーはある。
そのエネルギーは軌道によって変わる。
これらの事が軌道質量の考えによって証明された。
◇電子のラブは一定の光子を作る。陽子のラブは一定の光子を作る。
この現象を次のように考える。
変換率については２００６年９月３０日に提出した特願２００６−２９３２８１に記した。
７．  ▲１▼電子のラブの公転の仕事が電気の光子のエネルギーを作ると考える場合。陽子のラブの公転の仕事が電気の光子のエネルギーを作ると考える場合。変換率はいくらか。
電子のラブの公転の仕事×変換率＝電気の光子のエネルギー
電子のラブの１公転の仕事×変換率＝電気の光子１個のエネルギー
電子のラブの１公転の仕事＝電子のラブの質量エネルギー×１公転する距離＝電子のラブの質量エネルギー×３．１４×公転軌道
変換率をＫとする。
電子のラブの１公転の仕事×変換率＝電子のラブの質量エネルギー×走った距離×変換率＝電気の光子１個のエネルギー
８．１８７×１０−１４Ｊ×３．１４×１．０５８３６×１０−１０ｍ×Ｋ１＝１．１６５×１０−３１Ｊ
Ｋ１＝４．２８２×１０−９／ｍ
陽子のラブの１公転の仕事×変換率＝陽子のラブの質量エネルギー×走った距離×変換率＝電気の光子１個のエネルギー
１．５×１０−１０Ｊ×３．１４×５．７７７×１０−１４ｍ×Ｋ２＝１．１６５×１０−３１Ｊ
Ｋ２＝４．２８２×１０−９／ｍ
変換率は４．３×１０−９／ｍです。
ラブは１ｍ走ると、ラブのエネルギーの４．３×１０−９倍のエネルギーを電気の光子に変換する。
▲２▼電子のラブの自転の仕事が磁気の光子のエネルギーを作ると考える場合。陽子のラブの自転の仕事が磁気の光子のエネルギーを作ると考える場合。変換率はいくらか。
電子のラブの自転の仕事×変換率＝磁気の光子のエネルギー
電子のラブの１自転の仕事×変換率＝磁気の光子１個のエネルギー
電子のラブの１自転の仕事＝電子のラブの質量エネルギー×１自転する距離＝電子のラブの質量エネルギー×自転軌道（自転の場合は３．１４を乗じない。）
電子のラブの１自転の仕事×変換率＝磁気の光子１個のエネルギー
８．１８７×１０−１４Ｊ×４．１８×１０−１８ｍ×Ｋ３＝１．４６４×１０−３９Ｊ
Ｋ３＝４．２７８×１０−９／ｍ
陽子のラブの１自転の仕事×変換率＝磁気の光子１個のエネルギー
１．５×１０−１０Ｊ×４．１８×１０−１８ｍ×Ｋ４＝２．６８１×１０−３６Ｊ
Ｋ４＝４．２７６×１０−９／ｍ
変換率は４．２８×１０−９／ｍです。
ラブは１ｍ走ると、ラブのエネルギーの４．２８×１０−９倍のエネルギーを磁気の光子に変換する。
８．  ▲１▼電子のラブの公転の仕事が電気の光子の仕事を作ると考える場合。陽子のラブの公転の仕事が電気の光子の仕事を作ると考える場合。変換率はいくらか。
電子のラブの公転の仕事×仕事の変換率＝電気の光子の仕事
電子のラブの１公転の仕事×仕事の変換率＝電気の光子１個の仕事
電子のラブの１公転の仕事＝電子のラブの質量エネルギー×３．１４×電子のラブの公転軌道
電気の光子１個の仕事＝電気の光子１個のエネルギー×３．１４×電気の光子の軌道
仕事の変換率をＬとする。
電子のラブの１公転の仕事×仕事の変換率＝電気の光子１個の仕事
８．１８７×１０−１４Ｊ×３．１４×１．０５８３６×１０−１０ｍ×Ｌ１＝１．１６５×１０−３１Ｊ×３．１４×１．０５８３６×１０−１０ｍ
Ｌ１＝１．４２３×１０−１８
電子のラブは公転の仕事の１．４２３×１０−１８倍を、電気の光子の仕事に変換する。
陽子のラブの１公転の仕事×仕事の変換率＝電気の光子１個の仕事
１．５×１０−１０Ｊ×３．１４×５．７７７×１０−１４ｍ×Ｌ２＝１．１６５×１０−３１Ｊ×３．１４×５．７７７×１０−１４ｍ
Ｌ２＝７．７６７×１０−２２
陽子のラブは公転の仕事の７．７６×１０−２２倍を、電気の光子の仕事に変換する。
▲２▼電子のラブの自転の仕事が磁気の光子の仕事を作ると考える場合。陽子のラブの自転の仕事が磁気の光子の仕事を作ると考える場合。変換率はいくらか。
電子のラブの自転の仕事×仕事の変換率＝磁気の光子の仕事
電子のラブの１自転の仕事×仕事の変換率＝磁気の光子１個の仕事
電子のラブの１自転の仕事＝電子のラブの質量エネルギー×電子のラブの自転軌道（自転の場合は３．１４を乗じない。）
磁気の光子１個の自転の仕事＝磁気の光子１個のエネルギー×磁気の光子の自転軌道
電子のラブの１自転の仕事×仕事の変換率＝磁気の光子１個の自転の仕事
８．１８７×１０−１４Ｊ×４．１８×１０−１８ｍ×Ｌ３＝１．４６４×１０−３９Ｊ×４．１８×１０−１８ｍ
Ｌ３＝１．７８８×１０−２６
電子のラブは自転の仕事の１．７８８×１０−２６倍を、磁気の光子の仕事に変換する。
陽子のラブの１自転の仕事×仕事の変換率＝磁気の光子１個の仕事
１．５×１０−１０Ｊ×４．１８×１０−１８ｍ×Ｌ４＝２．６８１×１０−３６Ｊ×４．１８×１０−１８ｍ
Ｌ４＝１．７８７×１０−２６
陽子のラブは自転の仕事の１．７８７×１０−２６倍を、磁気の光子の仕事に変換する。
９．  ▲１▼電子のラブのエネルギーが電気の光子のエネルギーを作ると考える場合。陽子のラブのエネルギーが電気の光子のエネルギーを作ると考える場合。変換率はいくらか。
ラブの公転軌道＝電気の光子の公転軌道です。
それで、ラブのエネルギーが電気の光子のエネルギーに変換すると考える。
エネルギーの変換率をＭとします。
電子のラブのエネルギー×Ｍ１＝電気の光子のエネルギー
８．１８７×１０−１４Ｊ×Ｍ１＝１．１６５×１０−３１Ｊ
Ｍ１＝１．４２３×１０−１８
電子のラブのエネルギーの１．４２３×１０−１８倍が電気の光子のエネルギーに変換する。
陽子のラブのエネルギー×Ｍ２＝電気の光子のエネルギー
１．５×１０−１０Ｊ×Ｍ２＝１．１６５×１０−３１Ｊ
Ｍ２＝７．７６７×１０−２２
陽子のラブのエネルギーの７．７６７×１０−２２倍が電気の光子のエネルギーに変換する。
▲２▼電子のラブのエネルギーが磁気の光子のエネルギーを作ると考える場合。陽子のラブのエネルギーが磁気の光子のエネルギーを作ると考える場合。変換率はいくらか。
ラブの自転軌道＝磁気の光子の自転軌道です。
それで、ラブのエネルギーが磁気の光子のエネルギーに変換すると考える。
電子のラブのエネルギー×Ｍ３＝磁気の光子のエネルギー
８．１８７×１０−１４Ｊ×Ｍ３＝１．４６４×１０−３９Ｊ
Ｍ３＝１．７８８×１０−２６
電子のラブのエネルギーの１．７８８×１０−２６倍が磁気の光子のエネルギーに変換する。
陽子のラブのエネルギー×Ｍ４＝磁気の光子のエネルギー
１．５×１０−１０Ｊ×Ｍ４＝２．６８１×１０−３６Ｊ
Ｍ４＝１．７８７×１０−２６
陽子のラブのエネルギーの１．７８７×１０−２６倍が磁気の光子のエネルギーに変換する。
１０．  ▲１▼電子のラブの軌道エネルギーが電気の光子１個の軌道エネルギーを作ると考える場合。陽子のラブの軌道エネルギーが電気の光子１個の軌道エネルギーを作ると考える場合。変換率はいくらか。
軌道エネルギーの変換率をＮとする。
電子のラブの軌道エネルギー×軌道の変換率＝電気の光子１個の軌道エネルギー
８．６６５×１０−２４Ｊｍ×Ｎ１＝１．２３３×１０−４１Ｊｍ
Ｎ１＝１．４２３×１０−１８
電子のラブの軌道エネルギーの１．４２３×１０−１８倍が電気の光子の軌道エネルギーに変換する。
陽子のラブの軌道エネルギー×軌道の変換率＝電気の光子１個の軌道エネルギー
８．６６５×１０−２４Ｊｍ×Ｎ２＝６．７３０×１０−４５Ｊｍ
Ｎ２＝７．７６７×１０−２２
陽子のラブの軌道エネルギーの７．７６×１０−２２倍が電気の光子の軌道エネルギーに変換する。
▲２▼電子のラブの自転軌道エネルギーが磁気の光子１個の軌道エネルギーを作ると考える場合。陽子のラブの自転軌道エネルギーが磁気の光子１個の軌道エネルギーを作ると考える場合。変換率はいくらか。
電子のラブの自転軌道エネルギー×軌道の変換率＝磁気の光子１個の軌道エネルギー
８．１８７×１０−１４Ｊ×４．１８×１０−１８ｍ×Ｎ３＝４．１８×１０−１８ｍ×１．４６４×１０−３９Ｊ
Ｎ３＝１．７８８×１０−２６
電子のラブの自転軌道エネルギーの１．７８８×１０−２６倍が磁気の光子の軌道エネルギーに変換する。
陽子のラブの自転軌道エネルギー×軌道の変換率＝磁気の光子１個の軌道エネルギー
１．５×１０−１０Ｊ×４．１８×１０−１８ｍ×Ｎ４＝４．１８×１０−１８ｍ×２．６８１×１０−３６Ｊ
Ｎ４＝１．７８７×１０−２６
電子のラブの自転軌道エネルギーの１．７８７×１０−２６倍が磁気の光子の軌道エネルギーに変換する。
○電子のラブと陽子のラブは１ｍ回転し、自分のエネルギーの４．３×１０−９倍のエネルギーを光子のエネルギーに変換する。
○これらの計算によって、仕事の変換率＝エネルギーの変換率＝軌道エネルギーの変換率であることが理解できた。
これを表にする。但し、これは、電子のラブの質量エネルギーで、ボーア磁子、ボーア半径の場合です。陽子の質量エネルギーで、核磁子の場合です。地上の場合です。
2007244191.tif 000009
１１．  変換率は何の変換率か。
私は、ラブが光子を作る変換率を仕事の変換率として考えました。仕事エネルギー＝ラブの質量エネルギー×走る距離、と考えました。
しかし、軌道質量の考えによって、高エネルギーの場では、軌道質量の関係は成立しない事を理解しました。質量エネルギーは一定であり、不変であることを理解しました。軌道によって変わるのはラブのエネルギーです。
それで、仕事＝ラブのエネルギー×走る距離＝ラブの軌道エネルギーです。
電子のラブの仕事＝電子のラブのエネルギー×走る距離
陽子のラブの仕事＝陽子のラブのエネルギー×走る距離
走る距離は公転の場合は、３．１４×公転軌道、であり、自転の場合は自転軌道です。
よって、変換率は、ラブの軌道エネルギーが光子に変換する割合です。
変換率はラブの軌道エネルギーが光子の軌道エネルギーに変換する割合です。
１２．  電子のラブの変換率はいくらか。
▲１▼電子のラブが電気の光子を作る場合。
電子のラブが１公転で作る電気の光子のエネルギー＝変換率×電子のラブのエネルギー×走る距離＝変換率×電子のラブのエネルギー×３．１４×公転軌道＝変換率×電子のラブの軌道エネルギー×３．１４＝変換率×８．６６５×１０−２４Ｊｍ×３．１４
電子のラブが１公転で作る電気の光子のエネルギー＝１．２３３×１０−４１Ｊｍ÷公転軌道
よって、
変換率×８．６６５×１０−２４Ｊｍ×３．１４＝１．２３３×１０−４１Ｊｍ÷公転軌道
変換率＝１．２３３×１０−４１Ｊｍ÷公転軌道÷（８．６６５×１０−２４Ｊｍ×３．１４）＝４．５３２×１０−１９÷軌道
電子のラブが１公転で電気の光子のエネルギーを作る変換率は、４．５３２×１０−１９÷軌道、です。
▲２▼電子のラブが磁気の光子を作る場合。
電子のラブが１自転で作る磁気の光子のエネルギー＝変換率×電子のラブのエネルギー×走る距離＝変換率×電子のラブのエネルギー×自転軌道
電子のラブが１自転で作る磁気の光子のエネルギー＝６．１１２×１０−５７Ｊｍ÷自転軌道
変換率×電子のラブのエネルギー×自転軌道＝６．１１２×１０−５７Ｊｍ÷自転軌道
変換率＝６．１１２×１０−５７Ｊｍ÷自転軌道÷（電子のラブのエネルギー×自転軌道）＝６．１１２×１０−５７Ｊｍ÷電子のラブのエネルギー÷自転軌道２＝６．１１２×１０−５７Ｊｍ÷（８．６６５×１０−２４Ｊｍ÷公転軌道）÷（３．９４５×１０−８×公転軌道）２＝４．５３２×１０−１９÷公転軌道
電子のラブが１自転で磁気の光子のエネルギーを作る変換率は、４．５３２×１０−１９÷軌道、です。
電子のラブが１自転で作る磁気の光子のエネルギー＝変換率×電子のラブのエネルギー×走る距離＝変換率×電子のラブのエネルギー×自転軌道＝変換率×（８．６６５×１０−２４Ｊｍ÷公転軌道）×公転軌道×３．１４÷（７．９６×１０７）＝変換率×３．４１８×１０−３１Ｊｍ
電子のラブが１自転で作る磁気の光子のエネルギー＝１．５４９×１０−４９Ｊｍ÷公転軌道
よって、
変換率×３．４１８×１０−３１Ｊｍ＝１．５４９×１０−４９Ｊｍ÷公転軌道
変換率＝１．５４９×１０−４９Ｊｍ÷公転軌道÷（３．４１８×１０−３１Ｊｍ）＝４．５３２×１０−１９÷公転軌道
電子のラブが１自転で磁気の光子のエネルギーを作る変換率は、４．５３２×１０−１９÷公転軌道、です。
１３．  陽子のラブの変換率はいくらか。
▲１▼陽子のラブが電気の光子を作る場合。
陽子のラブが１公転で作る電気の光子のエネルギー＝変換率×陽子のラブのエネルギー×走る距離＝変換率×陽子のラブのエネルギー×３．１４×公転軌道＝変換率×陽子のラブの軌道エネルギー×３．１４＝変換率×８．６６５×１０−２４Ｊｍ×３．１４
陽子のラブが１公転で作る電気の光子のエネルギー＝６．７２４×１０−４５Ｊｍ÷公転軌道
よって、
変換率×８．６６５×１０−２４Ｊｍ×３．１４＝６．７２４×１０−４５Ｊｍ÷公転軌道
変換率＝６．７２４×１０−４５Ｊｍ÷公転軌道÷（８．６６５×１０−２４Ｊｍ×３．１４）＝２．４７１×１０−２２÷公転軌道
陽子のラブが１公転で電気の光子のエネルギーを作る変換率は、２．４７１×１０−２２÷公転軌道、です。
▲２▼陽子のラブが磁気の光子のエネルギーを作る場合。
陽子のラブが１自転で作る磁気の光子のエネルギー＝変換率×陽子のラブのエネルギー×走る距離＝変換率×陽子のラブのエネルギー×自転軌道＝変換率×（８．６６５×１０−２４Ｊｍ÷公転軌道）×｛公転軌道×３．１４÷（４．３４×１０４自転）｝＝変換率×６．２６９×１０−２８Ｊｍ
陽子のラブが１自転で作る磁気の光子のエネルギー＝１．５４９×１０−４９Ｊｍ÷公転軌道
よって、
変換率×６．２６９×１０−２８Ｊｍ＝１．５４９×１０−４９Ｊｍ÷公転軌道
変換率＝１．５４９×１０−４９Ｊｍ÷公転軌道÷（６．２６９×１０−２８Ｊｍ）＝２．４７１×１０−２２÷公転軌道
陽子のラブが１自転で磁気の光子のエネルギーを作る変換率は、２．４７１×１０−２２÷公転軌道、です。
これを表にする。高エネルギーの場の変換率です。
2007244191.tif 000010
１４．  中性子は電子のラブと陽子のラブが結合し一緒に公転しているので、これを中性子のラブと名づける。
中性子のラブ＝電子のラブ＋陽子のラブ
中性子のラブの質量は１．６７４９２７×１０−２７Ｋｇです。
１５．  中性子のラブの公転軌道はいくらか。
▲１▼中性子のラブの質量は陽子のラブの質量とほぼ同じなので、中性子のラブの軌道は陽子の軌道と同じであると考えられる。
もう１つの考えは、
▲２▼軌道に於いて、質量は無関係であるから、中性子のラブの軌道と陽子のラブの軌道は異なっても良いということです。軌道と関係するのはラブのエネルギーである。
この２つについて考える。
▲１▼中性子の質量から軌道をもとめる。
公転軌道＝ラブの軌道エネルギー÷ラブの質量エネルギー
中性子のラブの公転軌道＝８．６６５×１０−２４Ｊｍ÷（中性子のラブの質量×８．９８７５５×１０１６Ｊ）＝８．６６５×１０−２４Ｊｍ÷（１．６７４９２７×１０−２７Ｋｇ×８．９８７５５×１０１６Ｊ）＝５．７５６×１０−１４ｍ
陽子のラブの公転軌道＝８．６６５×１０−２４Ｊｍ÷（陽子のラブの質量×８．９８７５５×１０１６Ｊ）＝８．６６５×１０−２４Ｊｍ÷（１．６７２６２×１０−２７Ｋｇ×８．９８７５５×１０１６Ｊ）＝５．７６４×１０−１４ｍ
中性子のラブの軌道と陽子のラブの軌道は５．７６×１０−１４ｍです。
５．７６×１０−１４ｍの軌道に、元素の陽子のラブと中性子のラブは交互に並んで公転しています。
但し、磁気モーメントの符号が逆なので、自転軌道は逆方向に自転している。
その結果、中性子のラブの磁気の光子と陽子のラブの磁気の光子は、軌道もエネルギーも同じで、自転方向が逆であるから、相殺される。
この事によって、中性子の数が奇数の時も核磁気モーメントは０になったり、陽子の数が奇数の時も磁気モーメントは０になったりする。核子数が偶数のときは核磁気モーメントは０になる。
又、中性子のラブの磁気の光子と陽子のラブの磁気の光子は、軌道もエネルギーも同じであるから、核磁気モーメントの絶対値は等しい。
しかし、実際はこのようではない。
よって、中性子のラブと陽子のラブは同じ軌道を公転していない。
この場合、中性子の公転軌道と陽子の公転軌道は同じなので、
１公転するときの公転軌道と、１秒間の公転数と、１秒間の自転数と、秒速と、自転軌道は陽子の場合と同じです。
１公転で作る電気の光子１個のエネルギー＝９．６６２×１０−２７Ｊ÷（４．３４×１０４公転）＝２．２２６×１０−３１Ｊ
１自転で作る磁気の光子１個のエネルギー＝９．６６２×１０−２７Ｊ÷（４．３４×１０４公転×４．３４×１０４自転）＝５．１３×１０−３６Ｊ
１公転で作る電気の光子１個の軌道エネルギー＝５．７６×１０−１４ｍ×２．２２６×１０−３１Ｊ＝−１．２８２×１０−４４Ｊｍ
１自転で作る磁気の光子１個の軌道エネルギー＝４．１８×１０−１８ｍ×５．１３×１０−３６Ｊ＝２．１４４×１０−５３Ｊｍ
▲２▼中性子の磁気モーメントから軌道をもとめる。
交換率から中性子のラブのエネルギーを求め、軌道を求める。
中性子の磁気モーメントは９．６６２３６４０×１０−２７Ｊ／Ｔです。
１公転でできる電気の光子１個のエネルギーは、
９．６６２３６４０×１０−２７Ｊ÷（４．３４×１０４公転）＝２．２２６×１０−３１Ｊです。
１自転でできる磁気の光子１個のエネルギーは、
９．６６２３６４０×１０−２７Ｊ÷（４．３４×１０４公転×４．３４×１０４自転）＝５．１３×１０−３６Ｊです。
（陽子のラブが１自転で作る磁気の光子の変換率Ｍ４は、
陽子のラブのエネルギー×Ｍ４＝磁気の光子のエネルギー
１．５×１０−１０Ｊ×Ｍ４＝２．６８×１０−３６Ｊ
Ｍ４＝１．７８×１０−２６倍です。
陽子のラブが１自転で磁気の光子を作る変換率は１．７８×１０−２６倍です。）
それで、中性子のラブが磁気の光子を作る変換率も１．７８×１０−２６倍です。
中性子のラブのエネルギーをｘとすると、
ｘ×１．７８×１０−２６＝５．１３×１０−３６Ｊ
ｘ＝２．８８２×１０−１０Ｊです。
中性子のラブのエネルギーは、２．８８２×１０−１０Ｊです。
この軌道はいくらか。
ラブの軌道エネルギー÷中性子のエネルギー＝８．６６５×１０−２４Ｊｍ÷（２．８８２×１０−１０Ｊ）＝３×１０−１４ｍ
よって、中性子のラブの軌道は３×１０−１４ｍです。
私は、太陽の中で、深さが７×１０５Ｋｍのとき、電子のラブの軌道は２．５８２×１０−１４ｍで中性子ができると理解しました。それで、中性子のラブの軌道は、３×１０−１４ｍであると理解します。
陽子のラブは、５．７６４×１０−１４ｍの軌道を公転します。
中性子はその内側で、３×１０−１４ｍの軌道を公転します。
公転方向が逆になるので、自転方向も逆に成ります。
中性子のラブの秒速＝３．１４×公転軌道×１秒間の公転数＝３．１４×３×１０−１４ｍ×７．９６×１０７×４．３４×１０４＝０．３２５ｍ
中性子のラブの自転軌道＝３．１４×公転軌道÷（４．３４×１０４自転）＝３．１４×３×１０−１４ｍ÷（４．３４×１０４自転）＝２．１７１×１０−１８ｍ
中性子のラブが１公転で作る電気の光子１個の軌道エネルギー＝公転軌道×電気の光子１個のエネルギー＝３×１０−１４ｍ×２．２２６×１０−３１Ｊ＝６．６７８×１０−４５Ｊｍ
中性子のラブが１自転で作る磁気の光子１個の軌道エネルギー＝自転軌道×磁気の光子１個のエネルギー＝２．１７１×１０−１８ｍ×５．１３×１０−３６Ｊ＝１．１１４×１０−５３Ｊｍ
これを表にする。
2007244191.tif 000011
１６．  電子のラブの大きさは変化するか。電子の大きさは何か。陽子の大きさは何か。
ビッグバンの以前、電子のラブの大きさは約１０−２８ｍでした。
これが次第に拡大した。自転軌道が電子のラブの大きさである。
電子の大きさは、電子のラブの自転軌道である。
陽子の大きさは、陽子のラブの自転軌道である。
この根拠は、変化率を計算する時、自転軌道の場合、走る距離に３．１４を乗じない値が自転軌道の値になるからです。
よって、電子のラブの大きさは自転軌道の大きさです。
ビッグバンの以前、電子のラブの大きさは約１０−２８ｍでした。
これは、ビッグバンの以前の軌道は、約１０−２０ｍだったので、電子のラブの自転軌道は１０−２０−８ｍ＝１０−２８ｍだったからです。
１５０億年後、電子のラブの公転軌道は、１０−２０ｍから１０−１０ｍになりました。それで、電子のラブの自転軌道は、１０−２８ｍから１０−１８ｍになりました。
電子のラブの大きさは１０−２８ｍから１０−１８ｍになりました。
ビッグバンの温度は、地球の温度の（１０１０）２＝１０２０倍で、１０２０℃でした。
１７．  １秒間に引力と成る磁気の光子のエネルギーを求める式はどのようであるか。
地上では、１原子当たり引力と成る磁気の光子は１．３５６４×１０−３２Ｊです。これは１秒間でできる磁気の光子のエネルギーの何倍か。
１秒間でできる磁気の光子のエネルギーは、７．８１５×１０−２６Ｊｍ÷公転軌道＝７．８１５×１０−２６Ｊｍ÷（１．０５８３６×１０−１０ｍ）＝７．３８４×１０−１６Ｊです。
引力と成る磁気の光子のエネルギーは、１秒間にできる磁気の光子のエネルギーの、
１．３５６４×１０−３２Ｊ÷（７．３８４×１０−１６Ｊ）＝１．８３７×１０−１７倍です。
それで、１秒間に１原子が作る引力と成る磁気の光子のエネルギーの式は、
７．８１５×１０−２６Ｊｍ÷公転軌道×１．８３７×１０−１７倍＝１．４３６×１０−４２Ｊｍ÷軌道、です。
１秒間に１原子が作る引力と成る磁気の光子のエネルギーの式は、１．４３６×１０−４２Ｊｍ÷軌道、です。
１８．  引力と成る磁気の光子は、何回の自転でできるか。
１自転でできる磁気の光子のエネルギーは、１．５４９×１０−４９Ｊｍ÷公転軌道ですから、１秒間に１原子が作る引力と成る磁気の光子のエネルギーは、
１秒間に１原子が作る引力と成る磁気の光子のエネルギー÷１自転でできる磁気の光子のエネルギー＝１．４３６×１０−４２Ｊｍ÷公転軌道÷（１．５４９×１０−４９Ｊｍ÷軌道）＝９．２７×１０６自転でできる。
よって、地球や太陽のどの深さにおいても、電子のラブの自転によってできる引力と成る磁気の光子のエネルギーは、電子のラブが９．２７×１０６回自転してでできる。
１９．  １原子が作る引力と成る磁気の光子のエネルギーは、どうして９．２７×１０６自転でできるのか。引力の発生原理。
電子のラブと陽子のラブの自転軌道は同じで、回転方向が反対なので、相殺する。それで、引力と成る磁気の光子はその残った磁気の光子です。
電子のラブは１秒間に、（７．９６×１０７）３自転です。
陽子のラブは１秒間に、７．９６×１０７束×（４．３４×１０４）２自転です。
それで、（７．９６×１０７）３自転：７．９６×１０７束×（４．３４×１０４）２自転＝３．３６×１０６：１
残る自転数は、３．３６×１０６自転です。
この磁気の光子が引力と成る。
２０．  １Ｋは、電子のラブが何回公転してできる電気の光子のエネルギーか。
電子のラブが１回公転してできる電気の光子のエネルギーは、
１．２３３×１０−４１Ｊｍ÷軌道、です。
１Ｋ＝１．３８×１０−２３Ｊは、電子のラブが、
１Ｋのエネルギー÷１公転でできる電気の光子のエネルギー＝１．３８×１０−２３Ｊ÷（１．２３３×１０−４１Ｊｍ÷軌道）＝１．１１９×１０１８×軌道、回公転してできる。
２１．  １℃は、電子のラブが何回公転してできるか。
１℃＝２７４Ｋ＝２７４×１．３８×１０−２３Ｊ＝３．７８１２×１０−２１Ｊ
３．７８１２×１０−２１Ｊは電子のラブが、
３．７８１２×１０−２１Ｊ÷１公転でできる電気の光子のエネルギー＝
３．７８１２×１０−２１Ｊ÷（１．２３３×１０−４１Ｊｍ÷軌道）＝３．０６７×１０２０×軌道、回公転してできる。
２２．  Ａ℃は電子のラブが何回公転してできるか。
Ａ×３．７８１２×１０−２１Ｊ÷１公転でできる電気の光子のエネルギー＝Ａ×３．７８１２×１０−２１Ｊ÷（１．２３３×１０−４１Ｊｍ÷軌道）＝Ａ×３．０６７×１０２０×軌道
Ａ℃は電子のラブがＡ×３．０６７×１０２０×軌道、回公転してできる。
２３．  電子のラブの公転によってできる熱エネルギーは、電子のラブが何回公転して作る電気の光子のエネルギーか。
電子のラブの軌道＝１０−１０ｍ÷温度１／２
電子のラブが１公転で作る電気の光子のエネルギーは、
１．２３３×１０−４１Ｊｍ÷（１０−１０ｍ÷温度１／２）＝１．２３３×１０−３１Ｊ×温度１／２
それで、温度１／２のエネルギーを作るためには、何回転でできるか。
温度１／２のエネルギーを作るためには、
温度１／２×３．７８１２×１０−２１Ｊ÷１公転で作る電気の光子のエネルギー＝温度１／２×３．７８１２×１０−２１Ｊ÷（１．２３３×１０−３１Ｊ×温度１／２）＝３．０６７×１０１０公転でできる。
よって、地球や太陽のどの深さにおいても電子のラブの公転によってできる熱エネルギーは、電子のラブが３．０６７×１０１０回公転してでできる電気の光子のエネルギーです。
２４．  １秒間に熱となる電気の光子のエネルギーを求める式はどのようであるか。
熱となる電気の光子のエネルギーは、３．０６７×１０１０回の公転でできます。
これは、１秒間にできる電気の光子のエネルギーの、
３．０６７×１０１０公転÷（７．９６×１０７）２公転＝４．８４×１０−６倍です。
１秒間にできる電気の光子のエネルギーは、７．８１５×１０−２６Ｊｍ÷軌道、ですから、１秒間に熱と成る電気の光子のエネルギーの式は、
７．８１５×１０−２６Ｊｍ÷軌道×４．８４×１０−６＝３．７８２×１０−３１Ｊｍ÷軌道です。
１秒間に熱と成る電気の光子のエネルギーの式は、３．７８２×１０−３１Ｊｍ÷軌道です。
２５．  どうして、熱と成る電気の光子のエネルギーは、電子のラブが３．０６７×１０１０公転でできるのか。熱発生の原理。
陽子のラブが作る電気の光子の軌道は、電子のラブが作る電気の光子の軌道の１８３６分の１です。陽子のラブが作る電気の光子の軌道エネルギーは、電子のラブが作る電気の光子の軌道エネルギーの１８３６倍です。しかし、陽子のラブが作った電気の光子の軌道が１８３６倍に拡大し、電子のラブが作る電気の光子の軌道と同じになるとき、エネルギーは１８３６分の１に成ります。その時、陽子のラブが作った電気の光子と、電子のラブが作った電気の光子の軌道とエネルギーは同じで、回転方向が反対なので、相殺します。
電子のラブが作る電気の光子の１束は７．９６×１０７公転で、陽子のラブが作る電気の光子の１束は４．３４×１０４公転ですから、
７．９６×１０７公転：４．３４×１０４公転＝１．８３４×１０３：１
１束で、１．８３４×１０３公転の電気の光子が残ります。
１秒間で、７．９６×１０７束ですから、
７．９６×１０７束×１．８３４×１０３公転＝１．４６×１０１１公転の電気の光子が相殺されず残ります。
この残った電気の光子が熱エネルギーに成ります。
２６．  電子のラブが公転して作る熱エネルギーは、電子のラブが自転して作る引力と成る磁気の光子のエネルギーの何倍か。
地球や太陽のどの深さにおいても、電子のラブの公転によってできる熱エネルギーは、電子のラブが３．０６７×１０１０回公転してできる電気の光子のエネルギーです。
地球や太陽のどの深さにおいても、電子のラブが自転してできる引力と成る磁気の光子のエネルギーは、電子のラブが９．２７×１０６回自転してできる。
１公転の電気の光子のエネルギーは、磁気の光子のエネルギーの７．９６×１０７倍です。
よって、熱となる電気の光子のエネルギーは、引力と成る磁気の光子のエネルギーの、
３．０６７×１０１０×７．９６×１０７÷（９．２７×１０６）＝２．６３３×１０１１倍です。
１秒間にできる熱と成る電気の光子のエネルギーは、１秒間にできる引力と成る磁気の光子のエネルギーの何倍か。
１秒間にできる引力と成る磁気の光子のエネルギーの式は、１．４３６×１０−４２Ｊｍ÷軌道です。
１秒間にできる熱と成る電気の光子のエネルギーの式は、３．７８２×１０−３１Ｊｍ÷軌道です。
１秒間にできる熱と成る電気の光子のエネルギーは１秒間にできる引力と成る磁気の光子のエネルギーの、
３．７８２×１０−３１Ｊｍ÷軌道÷（１．４３６×１０−４２Ｊｍ÷軌道）＝２．６３４×１０１１倍です。
２７．  ラブが作る電気の光子のエネルギーの密度とラブが作る磁気の光子のエネルギーの密度はいくらか。
ラブが作る電気の光子のエネルギーの密度を、１公転で作る電気の光子のエネルギー÷公転軌道とする。
ラブが作る磁気の光子のエネルギーの密度を、１公転で作る磁気の光子のエネルギー÷公転軌道とする。
ラブが１公転で作る電気の光子のエネルギーと１公転で作る磁気の光子のエネルギーは等しい。公転軌道も等しい。それで、
電子のラブが作る電気の光子のエネルギーの密度＝電子のラブが作る磁気の光子のエネルギーの密度＝１公転で作る電気の光子のエネルギー÷公転軌道＝ボーア磁子÷（７．９６×１０７公転）÷ボーア直径＝９．２７４×１０−２４Ｊ÷（７．９６×１０７公転）÷（１．０５８３６×１０−１０ｍ）＝１．１６５×１０−３１Ｊ÷（１．０５８３６×１０−１０ｍ）＝１．１０１×１０−２１
陽子のラブが作る電気の光子のエネルギーの密度＝陽子のラブが作る磁気の光子のエネルギーの密度＝１公転で作る電気の光子のエネルギー÷公転軌道＝核磁子÷（４．３４×１０４公転）÷陽子のラブの公転軌道＝５．０５×１０−２７Ｊ÷（４．３４×１０４公転）÷（５．７７７×１０−１４ｍ）＝１．１６４×１０−３１Ｊ÷（５．７７７×１０−１４ｍ）＝２．０１５×１０−１８Ｊ／ｍ
陽子のラブが作る電気の光子のエネルギーの密度は、電子のラブが作る電気の光子のエネルギーの密度の、２．０１５×１０−１８÷（１．１０１×１０−２１）＝１．８３０×１０３倍です。
陽子のラブが作る磁気の光子のエネルギーの密度は、電子のラブが作る磁気の光子のエネルギーの密度の、２．０１５×１０−１８÷（１．１０１×１０−２１）＝１．８３０×１０３倍です。
これは、陽子のラブのエネルギーが電子のラブのエネルギーの１８３６倍であるからです。
陽子のラブは軌道が１８３６分の１なのに電子のラブと同じエネルギーの電気の光子と磁気の光子を作る。
２８．  電気の光子の個数の密度と磁気の光子の個数の密度はどのようであるか。
ラブが作る電気の光子の個数の密度を、１公転でできる電気の光子の個数÷ラブの公転軌道とする。
ラブが作る磁気の光子の個数の密度を、１公転で作る磁気の光子の個数÷ラブの公転軌道とする。
１公転でできる電気の光子の個数は１個です。
電子のラブが作る電気の個数の密度＝１公転でできる電気の光子の個数÷電子のラブの公転軌道＝１÷（１．０５８３６×１０−１０ｍ）＝９．４４９×１０９
電子のラブが作る磁気の光子の密度＝１公転で作る磁気の光子の個数÷電子のラブの公転軌道＝７．９６×１０７自転（個）÷（１．０５８３６×１０−１０ｍ）＝７．５２１×１０１７
陽子のラブが作る電気の個数の密度＝１公転でできる電気の光子の個数÷陽子のラブの公転軌道＝１÷（５．７７７×１０−１４ｍ）＝１．７３１×１０１３
陽子のラブが作る磁気の光子の密度＝１公転で作る磁気の光子の個数÷陽子のラブの公転軌道＝４．３４×１０４自転（個）÷（５．７７７×１０−１４ｍ）＝７．５１３×１０１７
電子のラブが作る磁気の光子の密度と陽子のラブが作る磁気の光子の密度は等しい。これは、磁気の光子は同じ間隔で作られることを示す。磁気の光子の大きさは等しい事を示す。
【発明の効果】
【０００６】この発明によって次の事が理解できた。
１．  本発明者の従来の考えと、ボーア半径、ボーア磁子、核磁子、で計算したデータの比較ができた。軌道エネルギーの比較ができた。電子のラブと陽子のラブの性質が理解できた。
２．  軌道質量＝軌道エネルギー×１．１１２６６×１０−１７Ｋｇ＝軌道エネルギー÷ｃ２＝軌道エネルギー÷（３×１０８）２＝軌道エネルギー÷（９×１０１６）＝軌道エネルギー÷１．１１×１０−１７です。
３．  原子の軌道質量において、中性子の電子のラブは軌道が陽子のラブと同じであるのに、質量エネルギーは１８３６倍になっていない。この事によって、軌道質量は成立しない。
軌道質量は成立しないから、光子のエネルギーはＥ＝ｍｃ２には成らない。光子のエネルギーは質量には成らない。よって、光子には質量は無い。
この軌道質量の考えによって、質量は変わらない事が証明された。
どのような高エネルギーの場でも、電子のラブの質量は一定である。
どのような高エネルギーの場でも、陽子のラブの質量は一定である。
どのような高エネルギーの場でも、中性子のラブの質量は一定である。
しかし、エネルギーは変わる。
電子のラブのエネルギーは変わる。
陽子のラブのエネルギーは変わる。
中性子のラブのエネルギーは変わる。
光子には質量は無いがエネルギーはある。
そのエネルギーは軌道によって変わる。
これらの事が軌道質量の考えによって証明された。
４．  変換率は軌道エネルギーの変換率である。
５．  電子のラブが光子を作る変換率は、４．５３２×１０−１９÷軌道です。
６．  陽子のラブが光子を作る変換率は、２．４７１×１０−２２÷軌道です。
７．  中性子のラブの公転軌道を、中性子の磁気モーメントと陽子のラブが１自転で作る磁気の光子の変換率からもとめると、３×１０−１４ｍです。自転軌道は２．１７１×１０−１８ｍです。
陽子のラブの公転軌道は５．７×１０−１４ｍで、自転軌道は４．１８×１０−１８ｍです。
陽子のラブは中性子のラブの外側を反対方向に公転するので、自転方向も反対方向になる。
８．  自転軌道が電子のラブの大きさである。この根拠は、変化率を計算する時、自転軌道の場合、走る距離に３．１４を乗じない値が自転軌道の値になるからです。
よって、電子のラブの大きさは自転軌道の大きさです。
９．  １秒間に１原子が作る引力と成る磁気の光子のエネルギーの式は、１．４３６×１０−４２Ｊｍ÷軌道、です。
１０．  地球や太陽のどの深さにおいても、電子のラブの自転によってできる引力と成る磁気の光子のエネルギーは、電子のラブが９．２７×１０６回自転してでできる。
１１．  電子のラブと陽子のラブの自転軌道は同じで、回転方向が反対なので、相殺する。それで、引力と成る磁気の光子はその残った磁気の光子です。
電子のラブは１秒間に、（７．９６×１０７）３自転です。
陽子のラブは１秒間に、７．９６×１０７束×（４．３４×１０４）２自転です。
それで、（７．９６×１０７）３自転：７．９６×１０７束×（４．３４×１０４）２自転＝３．３６×１０６：１
残る自転数は、３．３６×１０６自転です。
この磁気の光子が引力と成る。
１２．  Ａ℃は電子のラブがＡ×３．０６７×１０２０×軌道、回公転してできる。
１３．  地球や太陽のどの深さにおいても電子のラブの公転によってできる熱エネルギーは、電子のラブが３．０６７×１０１０回公転してでできる電気の光子のエネルギーです。
１４．  １秒間に熱と成る電気の光子のエネルギーの式は、３．７８２×１０−３１Ｊｍ÷軌道です。
１５．  陽子のラブが作った電気の光子の軌道が１８３６倍に拡大すると、エネルギーは１８３６分の１に成る。そして、陽子のラブが作った電気の光子の軌道とエネルギーは、電子のラブが作った電気の光子の軌道とエネルギーと同じになる。これらが衝突すると、回転方向が反対なので、相殺します。
電子のラブが作る電気の光子の１束は７．９６×１０７公転で、陽子のラブが作る電気の光子の１束は４．３４×１０４公転ですから、
７．９６×１０７公転：４．３４×１０４公転＝１．８３４×１０３：１
１束で、１．８３４×１０３公転の電気の光子が残ります。
１秒間で、７．９６×１０７束ですから、
７．９６×１０７束×１．８３４×１０３公転＝１．４６×１０１１公転の電気の光子が相殺されず残ります。
この残った電気の光子が熱エネルギーに成ります。
１６．  １秒間にできる熱と成る電気の光子のエネルギーは１秒間にできる引力と成る磁気の光子のエネルギーの、２．６３４×１０１１倍です。
１７．  陽子のラブは軌道が１８３６分の１なのに電子のラブと同じエネルギーの電気の光子と磁気の光子を作る。
１８．  電子のラブが作る磁気の光子の密度と陽子のラブが作る磁気の光子の密度は等しい。
これは、磁気の光子は同じ間隔で作られることを示す。磁気の光子の大きさは等しい事を示す。
【図面の簡単な説明】
【０００７】
【図１】  軌道質量について。軌道がＡ倍小さくなると質量はＡ倍大きくなる。電子のラブも陽子のラブも電気の光子も磁気の光子も、軌道がＡ倍小さくなると質量はＡ倍大きくなる。・もし、電子のラブの公転軌道が、５．７６４×１０−１４ｍになると、電子のラブの質量は、９．６４１×１０−４１ｍＫｇ÷（５．７６４×１０−１４ｍ）＝１．６７３×１０−２７Ｋｇになる。電子のラブの質量は陽子のラブの質量になる。中性子の質量は陽子の質量の２倍になる。しかし、実際このようにはなっていない。よって、軌道質量は成立しない。軌道質量は成立しないから、光子のエネルギーはＥ＝ｍｃ２には成らない。軌道に於いて、電子のラブのエネルギーは、Ｅ＝ｍｃ２には成らない。電子のラブの質量はｍ＝Ｅ／ｃ２には成らない。軌道に於いて、陽子のラブのエネルギーは、Ｅ＝ｍｃ２には成らない。陽子のラブの質量はｍ＝Ｅ／ｃ２には成らない。
【図２】  変換率は軌道エネルギーの変換率である。電子のラブが１公転で電気の光子を作る変換率は、４．５３２×１０−１９÷軌道です。電子のラブが１自転で磁気の光子を作る変換率は、４．５３２×１０−１９÷軌道です。陽子のラブが１公転で電気の光子を作る変換率は、２．４７１×１０−２２÷軌道です。陽子のラブが１自転で磁気の光子を作る変換率は、２．４７１×１０−２２÷軌道です。
【図３】  中性子のラブの公転軌道を、中性子の磁気モーメントと陽子のラブが１自転で作る磁気の光子の変換率からもとめると、３×１０−１４ｍです。自転軌道は２．１７１×１０−１８ｍです。陽子のラブの公転軌道は５．７×１０−１４ｍで、自転軌道は４．１８×１０−１８ｍです。陽子のラブは中性子のラブの外側を反対方向に公転するので、自転方向も反対方向になる。
【図４】  地球や太陽のどの深さにおいても、電子のラブの自転によってできる引力と成る磁気の光子のエネルギーは、電子のラブが９．２７×１０６回自転でできる。電子のラブと陽子のラブの自転軌道は同じで、、回転方向が反対なので、相殺する。それで、引力と成る磁気の光子はその残った磁気の光子です。電子のラブは１秒間に、７．９６×１０７束×（７．９６×１０７）２自転です。陽子のラブは１秒間に、７．９６×１０７束×（４．３４×１０４）２自転です。それで、（７．９６×１０７）３自転：７．９６×１０７束×（４．３４×１０４）２自転＝３．３６×１０６：１  残る自転数は、３．３６×１０６自転です。
【図５】  地球や太陽のどの深さにおいても電子のラブの公転によってできる熱エネルギーは、電子のラブが３．０６７×１０１０回公転してでできる電気の光子のエネルギーです。陽子のラブが作った電気の光子の軌道が１８３６倍に拡大すると、エネルギーは１８３６分の１に成る。そして、陽子のラブが作った電気の光子の軌道とエネルギーは、電子のラブが作った電気の光子の軌道とエネルギーと同じになる。これらが衝突すると、回転方向が反対なので、相殺します。陽子のラブが作った電気の光子と、電子のラブが作った電気の光子の軌道とエネルギーは同じで、回転方向が反対なので、相殺します。電子のラブが作る電気の光子の１束は７．９６×１０７公転で、陽子のラブが作る電気の光子の１束は４．３４×１０４公転ですから、７．９６×１０７公転：４．３４×１０４公転＝１．８３４×１０３：１  １束で、１．８３４×１０３公転の電気の光子が残ります。１秒間で、７．９６×１０７束ですから、７．９６×１０７束×１．８３４×１０３公転＝１．４６×１０１１公転の電気の光子が相殺されず残ります。この残った電気の光子が熱エネルギーに成ります。
【符号の説明】
１  電子のラブ
２  陽子のラブ
３  中性子のラブ
４  電子のラブの軌道質量は、１．０５８３６×１０−１０ｍで、９．１１×１０−３１Ｋｇ。
５  電子のラブの軌道質量は、５．７６４×１０−１４ｍで、１．６７３×１０−２７Ｋｇ。
６  電子のラブが作る電気の光子
７  電子のラブが作る磁気の光子
８  陽子のラブが作る電気の光子
９  陽子のラブが作る磁気の光子
１０  中性子のラブの公転軌道は３×１０−１４ｍです。自転軌道は２．１７１×１０−１８ｍです。
１１  陽子のラブの公転軌道は５．７×１０−１４ｍで、自転軌道は４．１８×１０−１８ｍです。
１２  電子のラブの自転回数は１秒間に、７．９６×１０７束×（７．９６×１０７）２自転です。
１３  陽子のラブの自転回数は１秒間に、７．９６×１０７束×（４．３４×１０４）２自転です。
１４  陽子のラブが作った電気の光子の軌道が１８３６倍に拡大する。
１５  陽子のラブが作る１束の電気の光子は、４．３４×１０４公転です。
１６  電子のラブが作る１束の電気の光子は７．９６×１０７公転です。
【図１】
2007244191.tif 000023
【図２】
2007244191.tif 000024
【図３】
2007244191.tif 000025
【図４】
2007244191.tif 000026
【図５】
2007244191.tif 000027